(57)【要約】【課題】設定を容易に行えるようにする。【解決手段】  上位メニュー選択ローラ１３１は角柱で表現され、その角柱の側面には、ユーザが設定できる設定項目が表記されている。この上位メニュー選択ローラ１３１は、ユーザが操作部材を上方向に操作すると、上方向に回転するように構成されている。上位メニュー選択ローラ１３１の選択項目上にカーソル１３２が位置しているときに、左方向を指示する操作部材が操作されると、上位メニュー選択ローラ１３１の左側に、左下位メニュー選択ローラ１４１が表示され、右方向を指示する操作部材が操作されると、上位メニュー選択ローラ１３１の右側に右下位メニュー選択ローラが表示される。この左下位メニュー選択ローラ１４１も、上位メニュー選択ローラ１３１と同様に、ユーザの上下方向の操作に合わせて同一方向に回転される。本発明は、画像処理装置に適用できる。【選択図】図６
2006079281.tif 000002
【特許請求の範囲】
【請求項１】
上位メニューとその上位メニューに付随する下位メニューの表示を制御する表示制御手段
を備え、
前記上位メニューの内の１つの項目に対し、２以上の下位メニューが関連付けられ、
前記表示制御手段は、前記上位メニューの内の１つの項目が選択された場合、その選択された項目に関連付けられている前記２以上の下位メニューの内の１つの下位メニューを、前記上位メニューの上方向、下方向、左方向、右方向のうちのいずれか１つの方向に表示させるための制御を行う
ことを特徴とする画像処理装置。
【請求項２】
前記表示制御手段は、前記上位メニューと前記下位メニューを、３次元のローラとして表示するための制御をさらに行う
ことを特徴とする請求項１に記載の画像処理装置。
【請求項３】
前記上位メニューまたは下位メニュー上に表示されるカーソルを操作するための操作部材であり、上方向、下方向、左方向、右方向の少なくとも４方向を、それぞれ操作可能な操作手段を
さらに備え、
前記表示制御手段は、前記操作手段が操作された時点で前記カーソルが位置する前記上位メニューのローラまたは前記下位メニューのローラを、前記操作手段が操作された方向と一致する方向に回転させるための制御をさらに行う
ことを特徴とする請求項２に記載の画像処理装置。
【請求項４】
前記表示制御手段は、前記操作手段が操作された時点で、前記下位メニューが表示されていない場合、前記操作手段が操作された方向と一致する前記上位メニューに対する方向に、前記２以上の下位メニューの内の１つの下位メニューが表示されるように制御を行う
ことを特徴とする請求項３に記載の画像処理装置。
【請求項５】
前記２以上の下位メニューは、それぞれ異なる項目から構成されている
ことを特徴とする請求項１に記載の画像処理装置。
【請求項６】
上位メニューとその上位メニューに付随する下位メニューの表示を制御する表示制御ステップ
を含み、
前記上位メニューの内の１つの項目に対し、２以上の下位メニューが関連付けられ、
前記表示制御ステップの処理は、前記上位メニューの内の１つの項目が選択された場合、その選択された項目に関連付けられている前記２以上の下位メニューの内の１つの下位メニューを、前記上位メニューの上方向、下方向、左方向、右方向のうちのいずれか１つの方向に表示させるための制御を行う
ことを特徴とする画像処理方法。
【請求項７】
上位メニューとその上位メニューに付随する下位メニューの表示を制御する表示制御ステップ
を含み、
前記上位メニューの内の１つの項目に対し、２以上の下位メニューが関連付けられ、
前記表示制御ステップの処理は、前記上位メニューの内の１つの項目が選択された場合、その選択された項目に関連付けられている前記２以上の下位メニューの内の１つの下位メニューを、前記上位メニューの上方向、下方向、左方向、右方向のうちのいずれか１つの方向に表示させるための制御を行う
ことを特徴とするコンピュータが読み取り可能なプログラムが記録されている記録媒体。
【請求項８】
上位メニューとその上位メニューに付随する下位メニューの表示を制御する表示制御ステップ
を含み、
前記上位メニューの内の１つの項目に対し、２以上の下位メニューが関連付けられ、
前記表示制御ステップの処理は、前記上位メニューの内の１つの項目が選択された場合、その選択された項目に関連付けられている前記２以上の下位メニューの内の１つの下位メニューを、前記上位メニューの上方向、下方向、左方向、右方向のうちのいずれか１つの方向に表示させるための制御を行う
ことを特徴とするコンピュータが読み取り可能なプログラム。
【請求項９】
静止画像と動画像を、それぞれ記録する記録手段と、
前記記録手段に記録されている前記静止画像の一覧、前記動画像の一覧、および、前記一覧の表示方法を選択するためのメニューの表示を制御する表示制御手段と、
前記メニュー上または前記一覧上に表示されるカーソルを操作するための操作部材であり、上方向、下方向、左方向、右方向の少なくとも４方向を、それぞれ操作可能な操作手段と
を備え、
前記表示制御手段は、前記操作手段が操作されることにより前記メニューから表示方法が選択された場合、その表示方法で、かつ、前記操作手段が操作された方向と一致する前記メニューに対する方向に、前記静止画像の一覧または前記動画像の一覧を表示させるための制御を行う
ことを特徴とする画像処理装置。
【請求項１０】
前記表示制御手段は、前記メニューを３次元のローラとして表示し、前記静止画像の一覧または前記動画像の一覧を構成する複数の画像を、略円環状軌跡上に配置して表示するための制御を行う
ことを特徴とする請求項９に記載の画像処理装置。
【請求項１１】
前記表示制御手段は、前記操作手段が操作された時点で前記カーソルが位置する前記メニューのローラを回転させる、前記静止画像の一覧を構成する画像を前記略円環状軌跡上で回転させる、または前記動画像の一覧を構成する画像を前記略円環状軌跡上で回転させるための表示を制御し、その回転方向は、前記操作方向と一致する方向とする
ことを特徴とする請求項１０に記載の画像処理装置。
【請求項１２】
前記動画像の一覧を構成する画像は、前記動画像から切り出された静止画像である
ことを特徴とする請求項１０に記載の画像処理装置。
【請求項１３】
記録媒体に記録されている静止画像の一覧、前記記録媒体に記録されている動画像の一覧、および、前記一覧の表示方法を選択するためのメニューの表示を制御する表示制御ステップと、
前記メニュー上または前記一覧上に表示されるカーソルを操作するための操作部材であり、上方向、下方向、左方向、右方向の少なくとも４方向を、それぞれ操作可能な操作部材からの信号を解析する解析ステップと
を含み、
前記表示制御ステップは、前記解析ステップの解析結果に基づき、前記操作部材が操作されることにより前記メニューから表示方法が選択されたと判断される場合、その表示方法で、かつ、前記解析結果に基づき操作されたと判断される方向と一致する前記メニューに対する方向に、前記静止画像の一覧または前記動画像の一覧を表示させるための制御を行う
ことを特徴とする画像処理方法。
【請求項１４】
記録媒体に記録されている静止画像の一覧、前記記録媒体に記録されている動画像の一覧、および、前記一覧の表示方法を選択するためのメニューの表示を制御する表示制御ステップと、
前記メニュー上または前記一覧上に表示されるカーソルを操作するための操作部材であり、上方向、下方向、左方向、右方向の少なくとも４方向を、それぞれ操作可能な操作部材からの信号を解析する解析ステップと
を含み、
前記表示制御ステップは、前記解析ステップの解析結果に基づき、前記操作部材が操作されることにより前記メニューから表示方法が選択されたと判断される場合、その表示方法で、かつ、前記解析結果に基づき操作されたと判断される方向と一致する前記メニューに対する方向に、前記静止画像の一覧または前記動画像の一覧を表示させるための制御を行う
ことを特徴とするコンピュータが読み取り可能なプログラムが記録されている記録媒体。
【請求項１５】
記録媒体に記録されている静止画像の一覧、前記記録媒体に記録されている動画像の一覧、および、前記一覧の表示方法を選択するためのメニューの表示を制御する表示制御ステップと、
前記メニュー上または前記一覧上に表示されるカーソルを操作するための操作部材であり、上方向、下方向、左方向、右方向の少なくとも４方向を、それぞれ操作可能な操作部材からの信号を解析する解析ステップと
を含み、
前記表示制御ステップは、前記解析ステップの解析結果に基づき、前記操作部材が操作されることにより前記メニューから表示方法が選択されたと判断される場合、その表示方法で、かつ、前記解析結果に基づき操作されたと判断される方向と一致する前記メニューに対する方向に、前記静止画像の一覧または前記動画像の一覧を表示させるための制御を行う
ことを特徴とするコンピュータが読み取り可能なプログラム。
【発明の詳細な説明】
【技術分野】
【０００１】
本発明は、画像処理装置および方法、プログラム、並びに記録媒体に関し、特に、複数の設定項目、静止画像、動画像などを、ユーザが効率良く、簡便に選択できるようにする画像処理装置および方法、プログラム、並びに記録媒体に関する。
【背景技術】
【０００２】
近年、携帯電話機やディジタルスチルカメラのような小型携帯端末においては、静止画像だけでなく、動画像も記録できるようになっており、さらに、記録メディアの容量増加に伴い、記録可能な枚数や時間も飛躍的に伸びてきている。また、小型携帯端末においては、さらなる小型化が急速に進み、それに伴い、小型携帯端末に搭載される表示部も小型化されている。
【０００３】
以上のことから、静止画像、動画像に限らず、大量の画像を小さい表示部に、如何にしてユーザに使いやすい形で表示、選択させるのかを提案することが急務となってきている。
【０００４】
一方、小型携帯端末に搭載されるＣＰＵ（Central Processing Unit）の処理能力の増加により、従来は２次元でしか表現することのできなかった画像選択画面を３次元で表現し、表示できるようになり、より画像選択画面の表現の自由度が上がってきている。
【０００５】
そこで、特許文献１に示されるように、複数枚の画像を３次元立体で表示することにより、複数枚の画像に対して検索や選択などの操作を容易にすることが提案されている。
【０００６】
また、ユーザの嗜好の多様化などにより、小型携帯端末に搭載される機能がより多種多様化し、その機能を実現できるようにＣＰＵの処理能力も増加している。そのような状況のなかで、ユーザは、大きく分けて、簡単な設定で簡単な操作のみを所望するユーザ（以下、シンプルユーザと称する）、備えられている機能を使いこなすために複雑な設定や操作を所望するユーザ（以下、エンドユーザと称する）、および、シンプルユーザとエンドユーザの中間に位置するユーザ（以下、マルチユーザと称する）という３タイプに分けることができる。
【０００７】
このようなことを考慮すると、ユーザ毎に、使用したい機能や、その機能を使用するための設定項目など異なることになる。例えば、シンプルユーザは簡単な項目だけ設定できればよく、複雑な選択項目まで設定時に提示されるのは煩わしいと感じる。エンドユーザは、設定できる全ての項目を参照し、かつ設定を行いたいと所望する。マルチユーザは、ある項目によっては簡単な項目だけでよく、他の項目によっては複雑な設定をしたいと所望する。
【０００８】
そこで、特許文献２に示されるように複数のメニューがロール状に配置されたメニュー選択ローラを３次元で表現し、メニュー選択ローラを回転させて任意のメニューの選択を受け付ける選択手段により視認性、操作性を向上させることが提供されている。またさらなる研究により、シンプルユーザ向けの選択画面および操作（以下、シンプルモードと称する）とエンドユーザ向け選択画面および操作（以下、エンドモードと称する）を切り替えることが可能なシステムも提案されている。
【０００９】
【特許文献１】特開２００２−０８２７４５号公報
【特許文献２】特開２００２−１６３１０３号公報
【発明の開示】
【発明が解決しようとする課題】
【００１０】
しかしながら、特許文献１で提案されているシステムでは、例えば、画像を閲覧する際、「日付順」、「場所名順」、「ファイル名順」「最近再生した順」等の昇順や降順を切り替えるためには、そのための切り替えボタンを操作しなくてはならなかった。また、切り替えボタンを操作しなくてはならない一方で、他方では、他のボタンを操作しなくてはならないなど、操作の一貫性がなく、異なる操作を要求され、そのために、ユーザは異なる操作性を覚えなければならないといった問題があり、使い勝手を低下させてしまうという課題があった。
【００１１】
また静止画像、動画像の切り替えも、専用の切り替えボタンを操作しなくてはならず、上記した問題と同様の問題があり、上記した場合と同様に使い勝手を低下させてしまうという課題があった。
【００１２】
また、特許文献２で提案されているシステムでは、全項目の表示方式をシンプルモードとエンドモードという、モードという概念を導入し、各モードが切り替えられることにより、ユーザの要求に対応している。よって、項目毎に簡単な設定か複雑な設定かを切り替ることはできず、そのために、シンプルユーザかエンドユーザのどちらか一方の要求を満たすことはできても、マルチユーザの要望を満たすことはできないといった課題があった。
【００１３】
また、仮に、特許文献２で提案されているシステムをマルチユーザが利用した場合、自己の要求を満たすためには、項目毎にモードを切り替える必要があり、そのために、操作の手数が多くなり、使い勝手が悪くなるという課題があった。
【００１４】
さらに、ユーザの本来の目的は、所定の機能の設定を行うというものであって、選択項目画面の表示の仕方、モードを切り替えるという操作は、特殊な操作であるため直感的に行うことができないといった課題があった。そのために、モードの切り替えができるということに気が付かず、例えば、シンプルユーザであっても、シンプルモードに設定できず、エンドモードのまま設定を行っている可能性があった。
【００１５】
本発明はこのような状況に鑑みてなされたものであり、例えば、静止画像や動画像を表示する際、その表示の切り替えや、「日付順」、「場所名順」、「最近再生した順」等の表示の順番の切り替えを、ユーザが１つの操作性により任意の画像を直感的に、快適に、高速に行えるようにするための手段を提供することを目的とする。
【００１６】
また、階層化されたメニューにおいて、選択項目毎に簡単な設定と複雑な設定を切り替えることができるようにし、ユーザにとってより自由度が高く、快適に項目の選択を行える手段を提供することを目的とする。
【課題を解決するための手段】
【００１７】
本発明の第１の画像処理装置は、第１に、上位メニューとその上位メニューに付随する下位メニューの表示を制御する表示制御手段を備え、上位メニューの内の１つの項目に対し、２以上の下位メニューが関連付けられ、表示制御手段は、上位メニューの内の１つの項目が選択された場合、その選択された項目に関連付けられている２以上の下位メニューの内の１つの下位メニューを、上位メニューの上方向、下方向、左方向、右方向のうちのいずれか１つの方向に表示させるための制御を行うことを要旨とする。
【００１８】
第２に、前記第１の要旨に加え、前記表示制御手段は、上位メニューと下位メニューを、３次元のローラとして表示するための制御をさらに行うことを要旨とする。
【００１９】
第３に、前記第２の要旨に加え、上位メニューまたは下位メニュー上に表示されるカーソルを操作するための操作部材であり、上方向、下方向、左方向、右方向の少なくとも４方向を、それぞれ操作可能な操作手段をさらに備え、表示制御手段は、操作手段が操作された時点でカーソルが位置する上位メニューのローラまたは下位メニューのローラを、操作手段が操作された方向と一致する方向に回転させるための制御をさらに行うことを要旨とする。
【００２０】
第４に、前記第３の要旨に加え、前記表示制御手段は、操作手段が操作された時点で、下位メニューが表示されていない場合、操作手段が操作された方向と一致する上位メニューに対する方向に、２以上の下位メニューの内の１つの下位メニューが表示されるように制御を行うことを要旨とする。
【００２１】
第５に、前記第１の要旨に加え、２以上の下位メニューは、それぞれ異なる項目から構成されていることを要旨とする。
【００２２】
本発明の第１の画像処理方法は、上位メニューとその上位メニューに付随する下位メニューの表示を制御する表示制御ステップを含み、上位メニューの内の１つの項目に対し、２以上の下位メニューが関連付けられ、表示制御ステップの処理は、上位メニューの内の１つの項目が選択された場合、その選択された項目に関連付けられている２以上の下位メニューの内の１つの下位メニューを、上位メニューの上方向、下方向、左方向、右方向のうちのいずれか１つの方向に表示させるための制御を行うことを要旨とする。
【００２３】
本発明の第１の記録媒体は、上位メニューとその上位メニューに付随する下位メニューの表示を制御する表示制御ステップを含み、上位メニューの内の１つの項目に対し、２以上の下位メニューが関連付けられ、表示制御ステップの処理は、上位メニューの内の１つの項目が選択された場合、その選択された項目に関連付けられている２以上の下位メニューの内の１つの下位メニューを、上位メニューの上方向、下方向、左方向、右方向のうちのいずれか１つの方向に表示させるための制御を行うことを特徴とするコンピュータが読み取り可能なプログラムが記録されていることを要旨とする。
【００２４】
本発明の第１のプログラムは、上位メニューとその上位メニューに付随する下位メニューの表示を制御する表示制御ステップを含み、上位メニューの内の１つの項目に対し、２以上の下位メニューが関連付けられ、表示制御ステップの処理は、上位メニューの内の１つの項目が選択された場合、その選択された項目に関連付けられている２以上の下位メニューの内の１つの下位メニューを、上位メニューの上方向、下方向、左方向、右方向のうちのいずれか１つの方向に表示させるための制御を行うことを特徴とするコンピュータが読み取り可能なプログラムであることを要旨とする。
【００２５】
本発明の第２の画像処理装置は、第１に、静止画像と動画像を、それぞれ記録する記録手段と、記録手段に記録されている静止画像の一覧、動画像の一覧、および、一覧の表示方法を選択するためのメニューの表示を制御する表示制御手段と、メニュー上または一覧上に表示されるカーソルを操作するための操作部材であり、上方向、下方向、左方向、右方向の少なくとも４方向を、それぞれ操作可能な操作手段とを備え、表示制御手段は、操作手段が操作されることによりメニューから表示方法が選択された場合、その表示方法で、かつ、操作手段が操作された方向と一致するメニューに対する方向に、静止画像の一覧または動画像の一覧を表示させるための制御を行うことを要旨とする。
【００２６】
第２に、前記第１の要旨に加え、前記表示制御手段は、メニューを３次元のローラとして表示し、静止画像の一覧または動画像の一覧を構成する複数の画像を、略円環状軌跡上に配置して表示するための制御を行うことを要旨とする。
【００２７】
第３に、前記第２の要旨に加え、前記表示制御手段は、操作手段が操作された時点でカーソルが位置するメニューのローラを回転させる、静止画像の一覧を構成する画像を略円環状軌跡上で回転させる、または動画像の一覧を構成する画像を略円環状軌跡上で回転させるための表示を制御し、その回転方向は、操作方向と一致する方向とすることを要旨とする。
【００２８】
第４に、前記第２の要旨に加え、動画像の一覧を構成する画像は、動画像から切り出された静止画像であることを要旨とする。
【００２９】
本発明の第２の画像処理装置は、記録媒体に記録されている静止画像の一覧、記録媒体に記録されている動画像の一覧、および、一覧の表示方法を選択するためのメニューの表示を制御する表示制御ステップと、メニュー上または一覧上に表示されるカーソルを操作するための操作部材であり、上方向、下方向、左方向、右方向の少なくとも４方向を、それぞれ操作可能な操作部材からの信号を解析する解析ステップとを含み、表示制御ステップは、解析ステップの解析結果に基づき、操作部材が操作されることによりメニューから表示方法が選択されたと判断される場合、その表示方法で、かつ、解析結果に基づき操作されたと判断される方向と一致するメニューに対する方向に、静止画像の一覧または動画像の一覧を表示させるための制御を行うことを要旨とする。
【００３０】
本発明の第２の記録媒体は、記録媒体に記録されている静止画像の一覧、記録媒体に記録されている動画像の一覧、および、一覧の表示方法を選択するためのメニューの表示を制御する表示制御ステップと、メニュー上または一覧上に表示されるカーソルを操作するための操作部材であり、上方向、下方向、左方向、右方向の少なくとも４方向を、それぞれ操作可能な操作部材からの信号を解析する解析ステップとを含み、表示制御ステップは、解析ステップの解析結果に基づき、操作部材が操作されることによりメニューから表示方法が選択されたと判断される場合、その表示方法で、かつ、解析結果に基づき操作されたと判断される方向と一致するメニューに対する方向に、静止画像の一覧または動画像の一覧を表示させるための制御を行うことを特徴とするコンピュータが読み取り可能なプログラムが記録されていることを要旨とする。
【００３１】
本発明の第２のプログラムは、記録媒体に記録されている静止画像の一覧、記録媒体に記録されている動画像の一覧、および、一覧の表示方法を選択するためのメニューの表示を制御する表示制御ステップと、メニュー上または一覧上に表示されるカーソルを操作するための操作部材であり、上方向、下方向、左方向、右方向の少なくとも４方向を、それぞれ操作可能な操作部材からの信号を解析する解析ステップとを含み、表示制御ステップは、解析ステップの解析結果に基づき、操作部材が操作されることによりメニューから表示方法が選択されたと判断される場合、その表示方法で、かつ、解析結果に基づき操作されたと判断される方向と一致するメニューに対する方向に、静止画像の一覧または動画像の一覧を表示させるための制御を行うことを特徴とするコンピュータが読み取り可能なプログラムであることを要旨とする。
【００３２】
本発明の第１の画像処理装置および方法、並びにプログラムにおいては、２層の構造の上位メニューに対して少なくとも２つの下位メニューが関連付けられており、上位メニューの１つの項目が選択された場合、関連付けられている下位メニューのうちの、操作部材が操作された方向に表示するとして設定されている下位メニューが表示される。
【００３３】
本発明の第２の画像処理装置および方法、並びにプログラムにおいては、静止画像と動画像の一覧表示がされる際、その一覧表示の表示方法がまず選択される。その選択された表示方法により一覧が表示されるように制御される。
【発明の効果】
【００３４】
本発明によれば、ユーザは１つの操作性により所望の画像を直感的に、快適に、高速に探し出し、参照することが可能となる。
【００３５】
また、本発明によれば、階層化されたメニューにおいても、各選択項目に、例えば、簡単な設定と複雑な設定という、異なる設定項目を設けることが可能となる。このようにすることで、ユーザにとってより自由度が高く、快適な項目の選択手段を提供するが可能となる。
【発明を実施するための最良の形態】
【００３６】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３７】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加されたりする発明の存在を否定するものではない。
【００３８】
本発明の第１の画像処理装置は、上位メニューとその上位メニューに付随する下位メニューの表示を制御する表示制御手段（例えば、図３のメイン動作制御部６５）を備え、上位メニューの内の１つの項目に対し、２以上の下位メニューが関連付けられ（例えば、図１７Ａ）、表示制御手段は、上位メニューの内の１つの項目が選択された場合、その選択された項目に関連付けられている２以上の下位メニューの内の１つの下位メニューを、上位メニューの上方向、下方向、左方向、右方向のうちのいずれか１つの方向に表示させるための制御（例えば、図６のような表示を行うための、図１４のフローチャートの処理）を行う。
【００３９】
本発明の第２の画像処理装置は、静止画像と動画像を、それぞれ記録する記録手段（例えば、図３の光ディスク１０１）と、記録手段に記録されている静止画像の一覧、動画像の一覧、および、一覧の表示方法を選択するためのメニューの表示を制御する表示制御手段（例えば、図３のメイン動作制御部６５）と、メニュー上または一覧上に表示されるカーソルを操作するための操作部材であり、上方向、下方向、左方向、右方向の少なくとも４方向を、それぞれ操作可能な操作手段（例えば、図１の方向指示部２４）とを備え、表示制御手段は、操作手段が操作されることによりメニューから表示方法が選択された場合、その表示方法で、かつ、操作手段が操作された方向と一致するメニューに対する方向に、静止画像の一覧または動画像の一覧を表示させるための制御（例えば、図２０のような表示を行うための、図２５のフローチャートの処理）を行う。
【実施例１】
【００４０】
以下に、本発明の実施の形態について図面を参照して説明する。
【００４１】
［画像処理装置の外観の構成例］
図１は、本発明を適用した画像処理装置１の一実施の形態の外観の構成を表している。図１の例において、画像処理装置１は、カムコーダなどからなり、筐体１１およびＬＣＤ（Liquid Crystal Display）部１２により構成される。
【００４２】
筐体１１の図中手前の面には、上から順に、ファインダ２２、電源スイッチ２３、および、方向指示部２４が設けられている。ファインダ２２は、被写体を確認するためにユーザにより使用される。
【００４３】
電源スイッチ２３は、軸２３ａおよび係止部２３ｂを有する回転式のスイッチで構成され、画像処理装置１の電源をオンし、かつ、画像選択モードおよび撮影モードからなる画像処理装置１の電源モードを切り換えるためにユーザにより操作される。
【００４４】
電源スイッチ２３は、軸２３ａを中心に時計回りに回動することができるが、反時計回りには、係止部２３ｂを押下しながらでなければ、回動することができないように構成されている。係止部２３ｂは、その一部分が、電源スイッチ２３と接続されており、電源スイッチ２３側に力が加えられることにより、その内部側に押し込められるが、力を加えることを停止すると、自らの弾性力によって元の状態に戻るようになっている。
【００４５】
したがって、ユーザは、電源スイッチ２３を、軸２３ａを中心に時計回りに、所定の回動角に回動することで、画像処理装置１の電源をオンし、画像処理装置１の電源モードを、画像選択モードに設定することができ、係止部２３ｂを押下しながら、電源スイッチ２３を、軸２３ａを中心に反時計回りに、所定の回動角に回動することで、画像処理装置１の電源をオンし、画像処理装置１の電源モードを、撮影モードに設定することができる。
【００４６】
なお、軸２３ａは、電源スイッチ２３の軸として機能する他、画像処理装置１の電源モードが撮影モードの場合には、撮影ボタンとしても機能する。すなわち、ユーザは、画像処理装置１の電源モードが撮影モードの場合に、軸２３ａを押下することにより、カメラ部２５による撮影開始または撮影終了を指示することができる。
【００４７】
方向指示部２４は、ジョグダイヤル（回転押圧操作素子）２４ａ、左方向指示ボタン２４ｂ、右方向指示ボタン２４ｃにより構成されている。
【００４８】
ジョグダイヤル２４ａは、上下方向に回動自在に構成されており、筐体１１の表面から僅かに突出した状態で設けられている。また、ジョグダイヤル２４ａは、筐体１１側に押圧されることにより、決定（選択）ボタンとして機能する。
【００４９】
したがって、ユーザは、ジョグダイヤル２４ａを上下方向に回動させたり、あるいは、左方向指示ボタン２４ｂまたは右方向指示ボタン２４ｃを押下したりすることで、後述するＬＣＤ２６の画面に表示される各種の設定内容を選択し、さらに、ジョグダイヤル２４ａを筐体１１側に押下することで、選択した処理を決定して、画像処理装置１に実行させることができる。
【００５０】
筐体１１の、ファインダ２２などが設けられている面とは、反対側の面の上部には、被写体を撮像する、レンズ（不図示）やＣＣＤ（Charge-Coupled Devices）撮像素子（以下、単にＣＣＤと称する）６１（図３）などにより構成されるカメラ部２５が設けられている。
【００５１】
ＬＣＤ部１２は、筐体１１の図中左側の側面に、撮影時には開かれ、収納時には筐体１１に沿うように折りたたみ、閉じることができるように、開閉自在に、図示せぬヒンジなどにより接続されている。ＬＣＤ部１２には、カメラ部２５による撮影中の画像や、画像処理装置１に装着される光ディスク１０１（図３）に記録されているファイルの一覧などを表示するＬＣＤ２６が配置されている。
【００５２】
［方向指示部について］
図１を参照して説明した画像処理装置１においては、方向指示するための入力デバイスとして、方向指示部２４を例に説明したが、図１に示した構成とは異なる構成を有する方向指示部を用いても良い。図２Ａ、図２Ｂ、および、図２Ｃは、図１に示した方向指示部２４の他の構成例を示している。
【００５３】
図２Ａの例において、方向指示部３０は、中央に位置する決定ボタン３１、決定ボタン３１の上部に位置する上方向指示ボタン３２、決定ボタン３１の下部に位置する下方向指示ボタン３３、決定ボタン３１の左側に位置する左方向指示ボタン３４、および決定ボタン３１の右側に位置する右方向指示ボタン３５により構成されている。
【００５４】
決定ボタン３１は、ユーザにより押下されることにより、図１のジョグダイヤル２４ａを筐体１１側に押下される場合と同様に、方向指示検出部６４（図３）を介して、決定の指示信号がメイン動作制御部６５（図３）に供給されるように構成されている。
【００５５】
上方向指示ボタン３２は、ユーザにより押下されることにより、ジョグダイヤル２４ａを上方向に回動される場合と同様に、方向指示検出部６４を介して、上方向の指示信号がメイン動作制御部６５に供給されるように構成されている。
【００５６】
下方向指示ボタン３３は、ユーザにより押下されることにより、ジョグダイヤル２４ａを下方向に回動される場合と同様に、方向指示検出部６４を介して、下方向の指示信号がメイン動作制御部６５に供給されるように構成されている。
【００５７】
左方向指示ボタン３４は、左方向指示ボタン２４ｂと同様に構成され、ユーザにより押下されることにより、方向指示検出部６４を介して、左方向の指示信号がメイン動作制御部６５に供給されるように構成されている。
【００５８】
右方向指示ボタン３５は、右方向指示ボタン２４ｃと同様に構成され、ユーザにより押下されることにより、方向指示検出部６４を介して、右方向の指示信号がメイン動作制御部６５に供給されるように構成されている。
【００５９】
図２Ｂの例において、方向指示部４１は、ジョグダイヤルにより構成され、筐体１１に、図１のジョグダイヤル２４ａと同様に設けられている。
【００６０】
すなわち、方向指示部４１は、図１のジョグダイヤル２４ａと同様に機能し、矢印Ｐに示されるように、上下方向に回動自在に構成されており、また、筐体１１側に押圧されることにより、決定（選択）ボタンとして機能する。
【００６１】
さらに、方向指示部４１は、図１のジョグダイヤル２４ａと同様に機能するほか、ユーザが、筐体１１の表面に突出した部分を、矢印Ｌに示されるように押すことにより、左側に傾斜する筐体１１と方向指示部４１が所定の角度を有する左方向指定状態４１Ｌになるように、かつ、ユーザが、筐体１１の表面に突出した部分を、矢印Ｒに示されるように押すことにより、左側に傾斜する筐体１１と方向指示部４１が所定の角度を有する右方向指定状態４１Ｒになるように構成されている。
【００６２】
したがって、ユーザが、方向指示部４１を矢印Ｌに示されるように押し、方向指示部４１を左側に傾斜させることにより、左方向指定状態４１Ｌにさせた場合、方向指示検出部６４は、左方向の指示信号を、メイン動作制御部６５に供給する。また、ユーザが、方向指示部４１を矢印Ｒに示されるように押し、方向指示部４１を右側に傾斜させることにより、右方向指定状態４１Ｒにさせた場合、右方向の指示信号を、メイン動作制御部６５に供給する。
【００６３】
図２Ｃの例において、方向指示部は、方向指示部５１乃至５３の３つのジョグダイヤルにより構成され、それぞれの方向指示部５１乃至５３は、筐体１１に、図１のジョグダイヤル２４ａと同様に設けられている。
【００６４】
すなわち、方向指示部５１乃至５３は、図１のジョグダイヤル２４ａと同様に機能し、矢印Ｐに示されるように、上下方向に回動自在に構成されており、また、筐体１１側に押圧されることにより、決定（選択）ボタンとして機能する。
【００６５】
詳細は後述するが、例えばユーザが画像処理装置１が有する機能などに対して設定を行う場合、ユーザに対して上位メニュー、左下位メニュー、および、右下位メニューの３つのメニューが提示される。方向指示部５１は、ユーザが上位メニューに対して指示を出すときに操作されるジョグダイヤルであり、方向指示部５２は、ユーザが左下位メニューに対して指示を出すときに操作されるジョグダイヤルであり、方向指示部５３は、ユーザが右下位メニューに対して指示を出すときに操作されるジョグダイヤルである。
【００６６】
このように、画像処理装置１に設けられる方向指示部は、上記したように、さまざまな構造をとりうるが、上記した方向指示部に共通するのは、上下左右の少なくとも４方向に対して指示を出すことができ、かつ、決定の意志を示す指示を出すことができる構造とされている。後述するように、本発明を適用する場合、上方向、下方向、左方向、右方向、および、その上下左右方向の指示を出す面と略垂直に交わる方向に方向の、５方向に対して指示を出せる部材が用いられることが好ましい実施の形態である。
【００６７】
さらに、画像処理装置１に設けられるズーム機能を指示するための入力デバイスなどを、方向指示するための入力デバイスとして用いることも可能である。このようにすれば、操作ボタンなどの部品点数を少なくしたり、画像処理装置１の筐体１１の表面の操作ボタンなどの設置面積を減少させたりすることが可能である。
【００６８】
［画像処理装置の内部構成例］
図３は、画像処理装置１の内部構成例を表している。画像処理装置１は、光ディスク１０１を着脱することができる構成とされている。画像処理装置１は、ユーザによる電源スイッチ２３や方向指示部２４の操作に基づいて、カメラ部２５で撮像されたデータを、ファイルとして、画像処理装置１に装着される光ディスク１０１に記録したり、光ディスク１０１に記録されているファイルのデータを、ＬＣＤ２６などに表示する。光ディスク１０１は、例えば、Blu-ray Disc、ＣＤ−ＲＷ（Compact Disk ReWritable）、ＤＶＤ＋ＲＷ(Digital Versatile Disk ReWritable)などの追記可能な記録媒体などにより構成される。
【００６９】
また、画像処理装置１は、インターネットやＬＡＮ(local area network)などで構成されるネットワーク１０２を介して、ＰＣ（パーソナルコンピュータ）１０３に接続し、ＰＣ１０３に記録されているデータを、ＬＣＤ２６に表示したり、光ディスク１０１に記録したりする。
【００７０】
ＣＣＤ６１は、被写体を撮像し、撮像した被写体の画像を、画像データとして、メイン動作制御部６５に供給する。
【００７１】
電源スイッチ検出部６２は、ユーザによる電源スイッチ２３の操作を検出し、検出された操作に対応して、電源投入信号や電源モード切り替え信号などを、メイン動作制御部６５に供給する。
【００７２】
すなわち、電源スイッチ検出部６２は、ユーザが、電源スイッチ２３を、軸２３ａを中心に時計回りに、所定の回動角に回動した場合、画像処理装置１の電源投入信号と、画像処理装置１の電源モードを画像選択モードに設定する電源モード切り替え信号を、メイン動作制御部６５に供給する。また、電源スイッチ検出部６２は、ユーザが、係止部２３ｂを押下しながら、電源スイッチ２３を、軸２３ａを中心に反時計回りに、所定の回動角に回動した場合、画像処理装置１の電源投入信号と、画像処理装置１の電源モードを撮影モードに設定する電源モード切り替え信号を、メイン動作制御部６５に供給する。
【００７３】
撮影スイッチ検出部６３は、画像処理装置１の電源モードが撮影モードの場合に、ユーザが、電源スイッチ２３の軸２３ａを押下したか否かを検出し、検出された操作に対応して、撮影開始信号または撮影終了信号を、メイン動作制御部６５に供給する。
【００７４】
方向指示検出部６４は、ユーザによる方向指示部２４の操作を検出し、検出された操作に対応した指示信号を、メイン動作制御部６５に供給する。
【００７５】
すなわち、方向指示検出部６４は、ユーザがジョグダイヤル２４ａを上方向に回動させた場合、上方向の指示信号を、メイン動作制御部６５に供給し、ユーザがジョグダイヤル２４ａを下方向に回動させた場合、下方向の指示信号を、メイン動作制御部６５に供給する。また、方向指示検出部６４は、ユーザが左方向指示ボタン２４ｂを押下した場合、左方向の指示信号を、メイン動作制御部６５に供給し、ユーザが右方向指示ボタン２４ｃを押下した場合、右方向の指示信号を、メイン動作制御部６５に供給する。さらに、方向指示検出部６４は、ユーザがジョグダイヤル２４ａを筐体１１側に押下した場合、決定の指示信号をメイン動作制御部６５に供給する。
【００７６】
メイン動作制御部６５は、信号処理部８１、設定処理部８２、画像切り出し制御部８３、および画面データ生成部８４を有しており、電源スイッチ検出部６２、撮影スイッチ検出部６３、および方向指示検出部６４からの指示信号に基づいて、画像処理装置１の各部を制御する。
【００７７】
すなわち、画像処理装置１の電源モードが撮影モードの場合、メイン動作制御部６５は、表示制御部６６を制御し、ＣＣＤ６１から入力される画像データを、ＬＣＤ２６に表示させたり、信号処理部８１を制御し、ＣＣＤ６１から入力される画像データに、所定の信号処理を実行させ、信号処理された画像データを、ドライブ６８を介して、光ディスク１０１に記録させたりする。これにより、光ディスク１０１には、画像データが、ファイルとして記録される。
【００７８】
なお、画像データとは、静止画像の画像データ、または、動画像の画像データである。
【００７９】
一方、画像処理装置１の電源モードが画像選択モードの場合、メイン動作制御部６５は、方向指示検出部６４からの指示信号に応じた表示モードに設定し、設定された表示モードに応じて、信号処理部８１、設定処理部８２、画像切り出し制御部８３、画面データ生成部８４、および表示制御部６６を制御し、光ディスク１０１に記録されたファイルを、設定された表示モードで、ＬＣＤ２６に表示させる。
【００８０】
ここで、画像処理装置１は、静止画像ファイル一覧モード、動画像ファイル一覧モード、および再生表示モードの表示モードを有している。
【００８１】
制止画像ファイル一覧モードは、光ディスク１０１に記録されている制止画像データの画像を一覧で表示させる表示モードである。動画ファイル一覧モードは、光ディスク１０１に記録されている画像データの先頭画像を一覧で表示させる表示モードである。再生表示モードは、選択された画像（静止画像または動画像）データを再生して、ＬＣＤ２６全画面に表示させる表示モードである。
【００８２】
信号処理部８１は、マルチプレクサやデマルチプレクサなどにより構成され、ＣＣＤ６１から入力される画像データに、符号化や多重化など所定の信号処理を施し、ドライブ６８に供給したり、光ディスク１０１に記録される画像データを、ドライブ６８を介して入力し、入力された画像データを復号し、動画用メモリ６９に展開したりする。
【００８３】
設定処理部８２は、後述するように、ユーザ側が、所望の機能を設定する際、その処理を制御する機能を有する。
【００８４】
画像切り出し制御部８３は、信号処理部８１により動画用メモリ６９に展開された画像データを構成する画像のうち、先頭の画像を静止画像として切り出し、切り出した静止画像を、制御用メモリ７０に貼り付ける。画面データ生成部８４は、制御用メモリ７０に貼り付けられた静止画像のデータに、表示用メモリ７１に記録されているカーソル表示させるためのデータなどを重畳して、画面データを生成し、生成した画面データを、表示制御部６６に供給する。
【００８５】
表示制御部６６は、画面データ生成部８４からの画面データに対応する画像を、ＬＣＤ２６に表示させる。
【００８６】
ドライブ６８は、信号処理部８１により信号処理が施された画像データを、装着される光ディスク１０１に記録したり、光ディスク１０１に記録されている画像データを読み出し、読み出した画像データを、信号処理部８１に供給したりする。
【００８７】
動画用メモリ６９、制御用メモリ７０、および表示用メモリ７１は、ＲＡＭ（Random Access Memory）やＲＯＭ（Read Only Memory）などで構成される。動画用メモリ６９は、信号処理部８１により展開された画像データを記憶する。制御用メモリ７０は、メイン動作制御部６５による設定情報を記憶したり、画像切り出し制御部８３により画像データから切り出された静止画像を記憶したりする。表示用メモリ７１は、カーソル表示させるための所定の表示データなどを予め記憶している。
【００８８】
通信部７２は、ネットワーク１０２に接続し、ネットワーク１０２に接続されるＰＣ１０３に記録されている種々のデータ、またはその他の情報を取得し、画像処理装置１に装着された光ディスク１０１に記録したり、あるいは、画像処理装置１に装着された光ディスク１０１に記録されている画像データなどを、ネットワーク１０２を介してＰＣ１０３に送信したりする。なお、通信部７２は、直接他の装置と、例えば、ＵＳＢ（Universal Serial Bus）などを介して接続されるようにしても良い。
【００８９】
さらに、画像処理装置１は、通信部７２およびネットワーク１０２を介して、ＰＣ１０３の図示せぬハードディスクなどに記録されている画像データについても、上述したように、画像処理装置１において読み出して、ＬＣＤ２６に表示したり、あるいは、上述したように生成した画像データを、ＰＣ１０３に供給し、ＰＣ１０３に設けられているモニタに表示させたりするように構成しても良い。
【００９０】
なお、通信部７２は、IEEE（Institute of Electrical and Electronics Engineers）1394、ＵＳＢ（Universal Serial Bus）などの有線用インタフェースから構成されるようにしてもよいし、光や電波による無線インタフェースから構成されるようにしてもよい。すなわち、ネットワーク１０２は、有線、無線のいずれであってもよく、通信部７２は、有線、無線のいずれのインタフェースであってもよい。
【００９１】
なお、図３の画像処理装置１においては、画像データと同様に、音声データが入力され、所定の信号処理が実行され、光ディスク１０１に記録されたり、音声として図示せぬスピーカなどから出力されたりするが、その説明および図示は省略する。
【００９２】
［ＬＣＤに表示される画像について］
次に、上記したような構成を有する画像処理装置１のＬＣＤ２６（図３）に表示される画像についての説明を加える。図４は、ＬＣＤ２６に表示される画像の一例を示す図である。図４に示したような画像は、画像処理装置１の機能に関し、ユーザが何らかの設定を行うために、ユーザ側に提示される画像である。
【００９３】
この図４に示した画像は、例えば、画像処理装置１の電源がオンの状態にされたときに、初期画面としてユーザ側に提示される。電源がオンの状態にされたとき、画像処理装置１のモードは、画像選択モードまたは撮影モードである。画像選択モードは、画像（動画像、静止画像）を選択し、閲覧するモードであり、撮影モードは、画像（動画像、静止画像）を撮影（撮像）するモードである。図４に示した初期画面は、どちらのモードのときにも表示されるようにしても良いし、どちらか一方のモードのときだけ表示されるようにしても良い。または、ユーザの指示（例えば、所定のボタンが操作されるなどによる指示）があったときに、表示されるようにしても良い。
【００９４】
いずれにしても、ＬＣＤ２６に初期画面として、図４に示したような画像がユーザ側に提示される。図４に示した初期画面について説明する。初期画面は、角柱を３次元的に表現した形の上位メニュー選択ローラ１３１が、例えば、ＬＣＤ２６の中央部分に表示された画面である。ここで、上位メニュー選択ローラ１３１としたのは、以下の説明で、上位メニューに付随する下位メニューが存在しているからである。すなわち、本実施の形態においては、階層的に構成されるメニューを扱う場合を例に挙げて説明をする。
【００９５】
また、この上位メニュー選択ローラ１３１は、角柱で表現され、その角柱を構成する側面の１面毎に、ユーザが設定できる選択項目のうちの１つが表示されている。上位メニュー選択ローラ１３１の形は、ここでは、角柱としたが、円柱など、他の形でも良い。また、上位メニュー選択ローラ１３１を角柱で表現した場合、その角柱の側面の面数は、ユーザ側に提示する選択項目の数と一致する。
【００９６】
図４に示した上位メニュー選択ローラ１３１では、“効果”、“基本設定”、“編集再生”といった項目が、ユーザ側に見られる側の側面に表示されている例が示されている。また、図４では、上位メニュー選択ローラ１３１の“基本設定”という項目上に、カーソル１３２が位置している状態を示している。
【００９７】
この上位メニュー選択ローラ１３１は、ジョグダイヤル２４ａ（図１）の移動方向に合わせて、移動するように構成されている。すなわち、ジョグダイヤル２４ａは、図１中、上下方向に移動（回転）するように構成されているが、このジョグダイヤル２４ａの移動方向と一致する方向に、上位メニュー選択ローラ１３１も回転される。例えば、図４に示した状態から、ユーザがジョグダイヤル２４ａを下方向に回転させると、図５に示したように、上位メニュー選択ローラ１３１も軸を中心として下方向に回転され、“効果”という項目が、中央に位置する状態にされる。
【００９８】
図４、図５に示したように、ジョグダイヤル２４ａが操作されても、この場合、カーソル１３２は、中央に位置した状態で、移動することはないように構成されている。換言すれば、カーソル１３２が位置する項目が、ジョグダイヤル２４ａが操作されることにより、順次、変更される。よって、図４に示した上位メニュー選択ローラ１３１の状態では、カーソル１３２が位置する項目は、“基本設定”であるが、ジョグダイヤル２４ａが下方向に回転され、その回転に対応して、上位メニュー選択ローラ１３１が回転されることにより、図５に示したように、上位メニュー選択ローラ１３１のカーソル１３２が位置する項目は、“効果”という、“基本設定”の次の項目に変更されている。また、上位メニュー選択ローラ１３１が回転されることにより、ユーザ側には提示されていなかった（表示されていなかった）“日時”という項目が表示される。
【００９９】
説明は省略するが、ジョグダイヤル２４ａが上方向に回転されたときは、上位メニュー選択ローラ１３１も、その上方向の回転に合わせて回転され、カーソル１３２が位置する項目は、新たな項目に変更され、表示されていなかった項目も表示されるようになる。
【０１００】
このように、ジョグダイヤル２４ａの動きに合わせて、上位メニュー選択ローラ１３１も動かされるように構成されている。このように構成することで、ユーザ側からみると、ジョグダイヤル２４ａの操作方向と、上位メニュー選択ローラ１３１の移動方向が一致することになり、上位メニュー選択ローラ１３１から所望とする項目を探し出しやすくなり、操作しやすくなるという効果がある。
【０１０１】
［下位メニュー選択ロールについて］
図４に示した上位メニュー選択ローラ１３１のとき、すなわち、“基本設定”という項目にカーソル１３２が位置している状態のとき、ユーザが左方向指示ボタン２４ｂ（図１）を操作すると、図６に示したような画面にＬＣＤ２６上の画面が切り替えられる。図６に示した画面には、上位メニュー選択ローラ１３１の左側に、左下位メニュー選択ローラ１４１が新たに表示されている。カーソル１３２は、左下位メニュー選択ローラ１４１上に移動されている。
【０１０２】
また、図４に示した上位メニュー選択ローラ１３１のとき、ユーザが右方向指示ボタン２４ｃを操作すると、図７に示したような画面にＬＣＤ２６上の画面が切り替えられる。図７に示した画面には、上位メニュー選択ローラ１３１の右側に、右下位メニュー選択ローラ１４２が新たに表示されている。カーソル１３２は、右下位メニュー選択ローラ１４２上に移動されている。
【０１０３】
このように、ユーザが左方向指示ボタン２４ｂを操作すると、左下位メニュー選択ローラ１４１が、上位メニュー選択ローラ１３１の左側に表示され、ユーザが右方向指示ボタン２４ｃを操作すると、右下位メニュー選択ローラ１４２が、上位メニュー選択ローラ１３１の右側に表示される。
【０１０４】
このように、ユーザが操作した方向に、下位メニューの項目を選択するためのローラが表示される。
【０１０５】
図６に示したように、左下位メニュー選択ローラ１４１が表示されているときに、ユーザが右方向指示ボタン２４ｃを操作した場合、図４に示した上位メニュー選択ローラ１３１のみが表示される画面に、ＬＣＤ２６上の表示は戻される。また、図７に示したように、右下位メニュー選択ローラ１４２が表示されているときに、ユーザが左方向指示ボタン２４ｂを操作した場合、図４に示した上位メニュー選択ローラ１３１のみが表示される画面に、ＬＣＤ２６上の表示は戻される。
【０１０６】
図６に示したように、左下位メニュー選択ローラ１４１が表示されているときに、左方向指示ボタン２４ｂが操作された場合、図８に示したように、さらに、左下位メニュー選択ローラ１４１’が表示される。または、ＳＰとＬＰ、オンとオフのように、単に、２者択一的に選択を行うような選択項目を提示する場合、換言すれば、最終的に選択される項目が表示される状態になった場合、図９に示すような選択メニュー１５１が表示される（選択メニュー１５１のみが表示される）ようにしても良い。
【０１０７】
説明は省略するが、図７に示したように、右下位メニュー選択ローラ１４２が表示されているときに、右方向指示ボタン２４ｃが操作された場合も、さらに、選択メニューが、図８や図９に示したのと同様に表示される。また、それらの選択メニューも複数の項目から構成される場合、ジョグダイヤル２４ａの操作方向と同じ方向に、回転される、または、カーソル１３２が移動されるなどの処理が実行されるように構成される。
【０１０８】
左下位メニュー選択ローラ１４１と右下位メニュー選択ローラ１４２は、上位メニュー選択ローラ１３１と同様に、ジョグダイヤル２４ａが操作されると、その操作方向（この場合、上方向または下方向）と同じ方向に回転される。ユーザは、上位メニュー選択ローラ１３１と同様に、左下位メニュー選択ローラ１４１または右下位メニュー選択ローラ１４２を回転させることにより、所望の項目を選択することができるように構成されている。
【０１０９】
［下位メニューの項目について］
図４、図６、図７を再度参照する。図４に示したように、上位メニュー選択ローラ１３１が表示されている状態、換言すればこの場合、“基本設定”という項目上に、カーソル１３２が位置している状態のときに、左方向指示ボタン２４ｂが操作されると、図６に示すように、左下位メニュー選択ローラ１４１が表示されるとした。また、図４に示したように、“基本設定”という項目上に、カーソル１３２が位置している状態のときに、右方向指示ボタン２４ｃが操作されると、図７に示すように、右下位メニュー選択ローラ１４２が表示されるとした。
【０１１０】
図６に示した左下位メニュー選択ローラ１４１には、“ＳＰ／ＬＰ”、“音量”といった項目が表示され、図７に示した右下位メニュー選択ローラ１４２には、“ワイドＴＶ”、“録画ランプ”、“Ａｕｄｉｏ設定”といった項目が表示されている。このように、左下位メニュー選択ローラ１４１に表示される項目と、右下位メニュー選択ローラ１４２に表示される項目は異なる。
【０１１１】
しかしながら、左下位メニュー選択ローラ１４１と右下位メニュー選択ローラ１４２は、共に、上位メニュー選択ローラ１３１の１項目である“基本設定”という項目が選択されたときに表示される選択ローラである。すなわち、本実施の形態においては、１つの上位メニューの１項目に対して２つの下位メニューが設定されている。そして、２つの下位メニューのうち、一方は、左側に表示され、他方は、右側に表示されるように構成されている。
【０１１２】
ここで、２つの下位メニューのうち、一方をシンプルユーザ用とし、他方をエンドユーザ用とする。シンプルユーザとは、簡単な設定のみを行えば良いとするユーザであり、エンドユーザとは、画像処理装置１に備えられている機能の全てを使いこなしたいとするユーザであるとする。シンプルユーザには、簡単な設定が行える項目から構成される下位メニューが提供され、エンドユーザには、複雑な設定も行える項目から構成される下位メニューが提供されるようにする。
【０１１３】
ここでは、左下位メニュー選択ローラ１４１は、シンプルユーザ用であるとし、右下位メニュー選択ローラ１４２は、エンドユーザ用であるとして、以下の説明を続ける。このように設定することにより、シンプルユーザは、上位メニュー選択ローラ１３１から設定したい項目を選択した後、左方向指示ボタン２４ｂを操作し、左下位メニュー選択ローラ１４１を表示させれば、自己が所望する簡単な設定を行うためのメニューを表示させることができる。
【０１１４】
エンドユーザは、上位メニュー選択ローラ１３１から設定したい項目を選択した後、右方向指示ボタン２４ｃを操作し、右下位メニュー選択ローラ１４２を表示させれば、自己が所望する複雑な設定を行うためのメニューを表示させることができる。
【０１１５】
このように、シンプルユーザは、上位メニュー選択ローラ１３１の左側に表示されるメニューを選択すれば良く、エンドユーザは、上位メニュー選択ローラ１３１の右側に表示されるメニューを選択すれば良いといったようなルールを設けることにより、シンプルユーザに対してもエンドユーザに対しても、所望の設定を簡便に行えるインタフェースを提供することが可能となる。
【０１１６】
また、シンプルユーザとエンドユーザの中間のユーザ（マルチユーザ）は、左側に表示されるメニューは簡単な設定が行えるメニューであり、右側に表示されるメニューは複雑な設定が行えるメニューであるというルールがあることを認識していれば、適宜、簡単な設定も複雑な設定も行える。よって、マルチユーザに対しても、所望の設定を簡便に行えるインタフェースを提供することが可能となる。
【０１１７】
なお、上記した説明においては、上位メニュー選択ローラ１３１が上下方向に回転し、上位メニュー選択ローラ１３１の左側に、左下位メニュー選択ローラ１４１が表示され、上位メニュー選択ローラ１３１の右側に、右下位メニュー選択ローラ１４２が表示されるとしたが、この表示の関係のみに本発明が限定されることを示したのではない。例えば、上位メニュー選択ローラ１３１が左右方向に回転し、上位メニュー選択ローラ１３１の上側に左下位メニュー選択ローラ１４１が表示され、上位メニュー選択ローラ１３１の下側に、右下位メニュー選択ローラ１４２が表示されるとしても良い。
【０１１８】
また、上記した説明においては、左下位メニュー選択ローラ１４１をシンプルユーザ用とし、右下位メニュー選択ローラ１４２をエンドユーザ用とするとして説明した。左下位メニュー選択ローラ１４１と右下位メニュー選択ローラ１４２の、それぞれのローラに表示される項目に関し他の設定（ルール）を設けても良い。
【０１１９】
例えば、左下位メニュー選択ローラ１４１と右下位メニュー選択ローラ１４２は、同一の項目が表示されるが、一方は日本語表記であり、他方は英語表記にするといったような設定でも良い。このようにすれば、日本語圏のユーザと英語圏のユーザで、同一の製品を使うことが可能となる。日本語圏向けの商品と英語圏向け商品を、別々に生産しなくても良く、共通に生産することができるので、生産効率を向上させ、製品単価を下げることができる。また、このようにすることで、言語を切り替えるためのプログラムなどを搭載する必要がなくなり、プログラムをシンプルにすることが可能となり、プログラムを記憶させておくための記録媒体の容量も小さくすることが可能となる。
【０１２０】
但し、このようにした場合、上位メニュー選択ローラ１３１に表示される項目は、日本語と英語の両方が表示されるようにするなどした方が良いと考えられ、上位メニュー選択ローラ１３１の表示に関しても適宜変更することも可能である。
【０１２１】
また、上記した実施の形態においては、上位メニュー選択ローラ１３１が表示されている状態のときに、方向指示部２４が操作されると、その操作された方向に対応する下位メニューの選択ローラが表示されるとした。このような実施の形態に限定されるわけではなく、下位メニューは、他の操作においてもユーザ側に提示されるような仕組みを設けても良い。例えば、図１０に示すように、上位メニュー選択ローラ１３１の所定の項目上に、カーソル１３２が位置しているとき、左右に、同時に、それぞれ下位メニューを表示させるようにしても良い。
【０１２２】
このようにすれば、ユーザ側に、下位メニューにはどのような項目があるのかを、一度に提示することができ、ユーザは、どちらのメニューを選択すれば良いのかを把握しやすくなると考えられる。また、このようにした場合、下位メニューを表示させるタイミングとしては、上位メニュー選択ローラ１３１の所定の項目上に、カーソル１３２が位置しているときには、常に表示するというタイミングでも良いし、ユーザがジョグダイヤル２４ａを押下したときに、表示されるというタイミングでも良い。
【０１２３】
また、このようにした場合、例えば、左下位メニュー選択ローラ１４１の中央部分に位置する項目（ユーザ側に一番始めに提示される項目）として、“簡易設定”といった項目を表示させ、右下位メニュー選択ローラ１４２には“詳細設定”といったような項目を表示させるようにしても良い。このようにすれば、どちらの項目が、簡易設定であるか（シンプルユーザ向きのメニューであるのか）、詳細設定であるのか（エンドユーザ向きのメニューであるのか）を一目で認識させることが可能となる。
【０１２４】
このように、下位メニューの表示の仕方やタイミングについては、適宜変更可能である。
【０１２５】
［画像処理装置の動作について］
次に、上記したようなメニュー表示を行う画像処理装置１の動作について説明する。まず、図１１のフローチャートを参照し、画像処理装置１の電源がオンにされたときの動作について説明する。
【０１２６】
ユーザは、撮影または閲覧を行いたいとき、画像処理装置１の電源スイッチ２３を、軸２３ａを中心に時計回りに、所定の回動角に回動する。電源スイッチ検出部６２は、ステップＳ１１において、ユーザによる電源スイッチ２３の操作（すなわち、ユーザにより電源スイッチ２３が所定の回動角に回動されたこと）を検出するまで待機しており、電源スイッチ２３が、軸２３ａを中心に時計回りに所定の回動角に回動されたことを検出すると、画像処理装置１の電源投入信号と、画像処理装置１の電源モードを画像選択モードに設定する電源モード切り替え信号を、メイン動作制御部６５に供給する。
【０１２７】
ステップＳ１２において、メイン動作制御部６５は、電源スイッチ検出部６２からの電源投入信号と、電源モード切り替え信号を入力すると、電源投入信号に応じて、図示せぬ電源部などを制御し、画像処理装置１の本体の電源を投入（オン）させる。
【０１２８】
ステップＳ１３において、メイン動作制御部６５は、電源スイッチ検出部６２からの電源モード切り替え信号に応じて、画像処理装置１の電源モードを画像選択モードまたは撮影モードに設定し、設定されたモードを、制御用メモリ７０に記憶させる。
【０１２９】
なお、上記したように、画像処理装置１の機能に関し何らかの設定を行うための図４に示したような初期画面は、モードによらず電源投入時に表示される、画像選択モードまたは撮影モードのうち、どちらか一方のモードのときに表示される、または、ユーザの指示があったとき（指示モード）のときに表示されるなど、その表示されるモードは、設計段階などで予め設定されることであり、ここでは、限定しない。そのため、ステップＳ１３においては、設定されたモードを制御用メモリ７０に記憶させると表記する。なお、どのようなモードのときに初期画面が表示されるか等の設定自体も、ユーザ自身で設定できるような仕組みを設けても勿論良い。
【０１３０】
ステップＳ１４において、図４に示したような上位メニュー選択ローラ１３１の画像データが読み出され、その読み出された画像データに基づく画像（すなわち、上位メニュー選択ローラ１３１）が、ＬＣＤ２６に表示される。そして、ステップＳ１５において、その時点でのＬＣＤ２６の画面の状態が、制御用メモリ７０に保存される。保存されるデータは、例えば、上位メニュー選択ローラ１３１の画像データなどである。
【０１３１】
ステップＳ１６において、上位メニュー選択ローラ１３１に、カーソル１３２が表示される。このような処理が実行されることにより、ＬＣＤ２６には、図４に示したような上位メニュー選択ローラ１３１とカーソル１３２が表示される。ステップＳ１７において、カーソル１３２の位置に関するデータが制御用メモリ７０に保存される。
【０１３２】
このような処理が実行されることにより、図４に示したような画像がＬＣＤ２６に表示された後、ユーザは、その画像（上位メニュー選択ローラ１３１）を参照して、所望の設定を行う。次に、その設定（項目の選択に係わる処理）に関して、画像処理装置１側で行われる処理について、図１２乃至図１６のフローチャートを参照して説明する。
【０１３３】
ステップＳ３１において、方向指示検出部６４は、方向指示部２４が操作されるまで待機しており、例えば、ユーザが、方向指示部２４を構成する、ジョグダイヤル２４ａを回動させたり、左方向指示ボタン２４ｂ、または右方向指示ボタン２４ｃを押下したりした場合、方向指示部２４が操作されたと判断し、ステップＳ３２に処理が進められる。ステップＳ３２において、ジョグダイヤル２４ａが操作されたことにより、上方向または下方向の操作を検出したか否かを判断する。
【０１３４】
ステップＳ３２において、ジョグダイヤル２４ａが操作されたと判断された場合、その操作方向を示す指示信号が、メイン動作制御部６５に供給され、ステップＳ３３に処理が進められる。ステップＳ３３において、ジョグダイヤル２４ａが操作されたことにより実行される処理が開始される。このステップＳ３３において実行されるジョグダイヤル２４ａの操作に係わる処理については、図１３のフローチャートを参照して後述する。
【０１３５】
一方、ステップＳ３２において、ジョグダイヤル２４ａは操作されていないと判断された場合、ステップＳ３４に処理が進められ、操作されたのは、左方向指示ボタン２４ｂであり、左方向の操作を検出したか否かが判断される。
【０１３６】
ステップＳ３４において、左方向指示ボタン２４ｂが操作されたと判断された場合、左方向を示す指示信号が、メイン動作制御部６５に供給され、ステップＳ３５に処理が進められる。ステップＳ３５において、左方向指示ボタン２４ｂが操作されたことにより実行される処理が開始される。このステップＳ３５において実行される左方向指示ボタン２４ｂの操作に係わる処理については、図１４のフローチャートを参照して後述する。
【０１３７】
一方、ステップＳ３４において、左方向指示ボタン２４ｂは操作されていないと判断された場合、ステップＳ３６に処理が進められる。ステップＳ３６に処理が進められるのは、方向指示部２４を構成するジョグダイヤル２４ａ、左方向指示ボタン２４ｂ、および、右方向指示ボタン２４ｃのうちの、ジョグダイヤル２４ａと左方向指示ボタン２４ｂは操作されていないと判断された場合であるので、操作されたのは、右方向指示ボタン２４ｃであると判断することができる。
【０１３８】
そこで、ステップＳ３６においては、右方向を示す指示信号が、メイン動作制御部６５に供給され、右方向指示ボタン２４ｃが操作されたことにより実行される処理が開始される。このステップＳ３６において実行される右方向指示ボタン２４ｃの操作に係わる処理については、図１６のフローチャートを参照して後述する。
【０１３９】
このように、方向指示部２４が操作されたか否かが監視され、操作された方向指示部に対応した処理が実行される。
【０１４０】
ステップＳ３３におけるジョグダイヤル２４ａの操作に係わる処理について、図１３のフローチャートを参照して説明する。ステップＳ５１において、メイン動作制御部６５の設定処理部８２は、制御用メモリ７０から、カーソル１３１の位置（カーソル１３１が位置する項目）や、画面状態（どのようなメニューが表示されているか）に関するデータを読み出す。
【０１４１】
ステップＳ５２において、設定処理部８２は、カーソル１３２は、上位メニュー選択ローラ１３１上に位置しているか否かが判断される。カーソル１３２は、例えば、図４に示したように、上位メニュー選択ローラ１３１上に位置するときと、図６に示したように、左下位メニュー選択ローラ１４１などの下位メニューのローラ上に位置するときとがある。そこで、ステップＳ５２においては、カーソル１３２は、上位メニュー選択ローラ１３１に位置しているか否かが判断される。
【０１４２】
このような判断が行われるために、例えば、ステップＳ１５やステップＳ１７（いずれも図１１）の処理で、画面状態やカーソル１３２の位置に関するデータが、制御用メモリ７０に保存され、その保存されているデータが用いられて判断処理が実行される。
【０１４３】
ステップＳ５２において、カーソル１３２は、上位メニュー選択ローラ１３１上にあると判断された場合、ステップＳ５３に処理が進められる。ステップＳ５３において、設定処理部８２は、上位メニュー選択ローラ１３１が回転されたかのように表現するためのデータを、制御用メモリ７０から読み出す。例えば、図４に示したような状況のときに、ジョグダイヤル２４ａが下方向に操作された結果、図６に示したような状況に変化する場合、中央部分に表示されていた“基本設定”という項目が、“効果”という項目に変化するようにし、表示されていなかった“日時”という項目が、“効果”という項目が表示されていた部分に表示されるようにするためのデータである。
【０１４４】
このような表示は、例えば、上位メニュー選択ローラ１３１を構成する角柱の画像は、固定した画像とし、その側面に表示される各項目の文字（テキスト）のみを回転させるような制御が行われことにより実施されるようにしても良い。このように、テキストだけを回転させるような制御にした場合、テキストデータと、そのテキストデータに基づくテキストがどの位置に表示されるかというデータが、制御用メモリ７０から読み出される。
【０１４５】
ステップＳ５５において、読み出されたデータに基づきＬＣＤ２６上の表示が制御される。ステップＳ５５への処理は、ステップＳ５２において、カーソル１３２は、上位メニュー選択ローラ１３１上にはないと判断され、ステップＳ５４の処理が実行された後にも来る。ステップＳ５２において、カーソル１３２は、上位メニュー選択ローラ１３１上にはないと判断されるのは、カーソル１３２が左下位メニュー選択ローラ１４１上または右下位メニュー選択ローラ１４２上に位置するときである。
【０１４６】
よって、下位メニューに関するローラ上にカーソル１３２が位置するときに、ジョグダイヤル２４ａが操作された場合、その下位メニュー選択ローラが回転するような表示が行われるためのデータが、制御用メモリ７０から読み出される。
【０１４７】
ステップＳ５５において、制御用メモリ７０から読み出されたデータに基づき、表示制御部６６は、ＬＣＤ２６の表示を制御する。
【０１４８】
ＬＣＤ２６の表示が制御され、例えば、図５に示したような画像に切り替えられた後、ステップＳ５６において、画面状態が、制御用メモリ７０に保存される。そして、ステップＳ５７において、画面状態に応じた位置にカーソル１３２が移動されて表示される。そして、その移動先に関するデータが、ステップＳ５８において、制御用メモリ７０に保存される。
【０１４９】
このようにして、ジョグダイヤル２４ａが操作された場合、カーソル１３２が位置するローラが、カーソル１３２の操作方向と同じ方向に回転するような表示を行うための処理が実行される。
【０１５０】
次に、図１４のフローチャートを参照し、ステップＳ３５において実行される左方向指示ボタン２４ｂの操作に係る処理について説明する。ステップＳ７１において、カーソル１３２の位置や画面状態が、制御用メモリ７０から読み出される。ステップＳ７２において読み出されたデータが用いられて、カーソル１３２は、上位メニュー選択ローラ１３１上に位置しているか否かが判断される。このステップＳ７１とステップＳ７２の処理は、基本的に、ステップＳ５１とステップＳ５２（図１３）の処理と同様に行われる。
【０１５１】
ステップＳ７２において、カーソル１３２は、上位メニュー選択ローラ１３１上に位置すると判断された場合、例えば、ＬＣＤ２６の画面は、図４に示したような状況であると判断された場合、ステップＳ７３に処理が進められる。図４に示したような状況のときに、左方向指示ボタン２４ｂが操作された場合、図６に示したような左下位メニュー選択ローラ１４１が表示される状態にＬＣＤ２６上の画面が切り替えられる処理が実行される。
【０１５２】
よって、ステップＳ７３において、左下位メニュー選択ローラ１４１を表示させるためのデータが、制御用メモリ７０から読み出される。そして、ステップＳ７４において、表示制御部６６の制御のもと、読み出されたデータに基づくが画像、すなわちこの場合、図６に示したような画像が、ＬＣＤ２６に表示される。このような表示が行われると、ステップＳ７５において、その画面状態が、制御用メモリ７０に保存（更新）される。さらに、ステップＳ７６において、カーソル１３２の位置に関するデータが制御用メモリ７０に保存される。
【０１５３】
一方、ステップＳ７２において、カーソル１３２は、上位メニュー選択ローラ１３１上にはないと判断された場合、ステップＳ７８に処理が進められる。ステップＳ７８に処理が進められるのは、カーソル１３２が下位メニューに関するローラ上に位置しているときである。よって、ステップＳ７８においては、カーソル１３２は、右下位メニュー選択ローラ１４２上に位置しているか否か（図７に示したような状態であるか否か）が判断される。
【０１５４】
ステップ７８において、カーソル１３２は、右下位メニュー選択ローラ１４２上にあると判断された場合、すなわち、図７に示したような状況であると判断された場合、ステップＳ７９に処理が進められる。ステップＳ７９において、右下位メニュー選択ローラ１４２が消去するための処理が実行される。すなわち、図７に示したように、カーソル１３２が右下位メニュー選択ローラ１４２上に位置している状態のときに、左方向指示ボタン２４ｂが操作されると、カーソル１３２は、上位メニュー選択ローラ１３１上に移動し、図４に示したような上位メニュー選択ローラ１３１のみが表示された状態に移行される。
【０１５５】
よって、上位メニュー選択ローラ１３１のみを表示するために、右下位メニュー選択ローラ１４２が消去されるための処理が実行される。そして、ステップＳ８０において、上位メニュー選択ローラ１３１を表示するためデータが制御用メモリ７０から読み出される。データが読み出されると、ステップＳ７４に処理が進められる。ステップＳ７４以降の処理は、既に説明したので、ここでは省略する。
【０１５６】
一方、ステップＳ７８において、カーソル１３２は、右下位メニュー選択ローラ１４２上には位置していないと判断された場合、換言すれば、左下位メニュー選択ローラ１４１上に位置していると判断された場合、図１４に示したフローチャートの処理は終了される。この処理について説明を加える。ステップＳ７８において、カーソル１３２は、左下位メニュー選択ローラ１４１上に位置していると判断されるのは、例えば、図６に示したような状況のときである。
【０１５７】
図１４のフローチャートの処理は、メニューは階層化されており、その階層は２層である場合を前提としている。すなわち、図１７Ａに示したように、上位メニューを１層目とし、下位メニューを２層目とする階層構造にされていることを前提としている。
【０１５８】
また、本実施の形態においては、上記しているように、上位メニュー（上位メニュー選択ローラ１３１に対応）の１項目に対して、２つの下位メニュー（左下位メニュー選択ローラ１４１と右下位メニュー選択ローラ１４２に対応）が関連付けられている。
【０１５９】
図１７Ａに示したように、メニューが２層で構成されている場合、例えば、図６に示したように、左下位メニュー選択ローラ１４１上にカーソル１３２が位置している状況のときに、左方向指示ボタン２４ｂが操作されても、左下位メニュー選択ローラ１４１のさらに下位のメニューは存在しないので、左下位メニュー選択ローラ１４１の左側にさらにメニューが表示されるといったような処理は行われない。このような状況は、ステップＳ７８において、カーソル１３２は、右下位メニュー選択ローラ１４２上に位置していないと判断される場合であるが、そのような場合には、図１４に示したフローチャートは終了され、新たな指示待ちの状態（図１２の処理が実行される状態）とされる。
【０１６０】
図１４に示したフローチャートは、このような２層構造のメニューを扱うことを前提としたが、２層以上の構造を有するメニューを扱う場合、例えば、図１７Ｂに示すように、３層構造のメニューを含むようなメニューを扱う場合、図１５のフローチャートのような処理が実行される。
【０１６１】
ステップＳ９１乃至ステップＳ１００は、ステップＳ７１乃至ステップＳ８０と同様の処理であるため、その説明は省略する。但し、ステップＳ１００においては、上位メニュー選択ローラ１３１のデータを読み出すのではなく、上層のメニュー選択用のローラのデータを読み出す処理が実行される。例えば、図１７Ｂにおいて、３層目のメニューにカーソル２０２が位置しているときであれば、２層目のメニューのデータが、２層目のメニューにカーソル２０２が位置しているときであれば、１層目のメニューのデータが、読み出される。
【０１６２】
図１４のフローチャートに対して図１５のフローチャートは、ステップＳ１０１の処理を加えた流れとなっている。ステップＳ１０１へは、ステップＳ９８において、左方向指示ボタン２４ｂが操作されたとき、カーソル１３２は、右下位メニュー選択ローラ１４２上に位置していないと判断されたときにくる。すなわち、左方向指示ボタン２４ｂが操作されたとき、カーソル１３２が、左下位メニュー選択ローラ１４１上に位置しているときに、ステップＳ１０１の処理が実行される。
【０１６３】
ステップＳ１０１において、カーソル１３２が位置する左下位メニュー選択ローラ１４１のメニューに、さらに下位メニューが関連付けられているか否かが判断される。ステップＳ１０１において、下位メニューが関連付けられていると判断された場合、ステップＳ９３に処理が進められ、その関連付けられていると判断された下位メニューを、下位メニュー選択ローラ１４１の左側にさらに表示させるための処理が実行される。この処理は、基本的に、例えば、左下位メニュー選択ローラ１４１が表示されるときと同様の処理が実行されることにより行われる。
【０１６４】
このような処理が行われることにより、図８に示したような画像が、ＬＣＤ２６に表示される。
【０１６５】
一方、ステップＳ１０１において、下位メニューは関連付けられていないと判断された場合、図１５のフローチャートは終了される。この際、ユーザに、下位メニューは関連付けられていないこと、換言すれば、この場合、左方向指示ボタン２４ｂの操作は、無効な操作であることを知らせるようなメッセージを表示させるようにしても良い。
【０１６６】
このような処理が、左方向指示ボタン２４ｂが操作されたときに行われる。
【０１６７】
次に、図１６のフローチャートを参照して、図１４のステップＳ３６で行われる右方向指示ボタン２４ｃの操作に係わる処理について説明する。図１６のフローチャートは、右方向指示ボタン２４ｃが操作されたときに行われる処理であるが、この処理は、基本的に左方向指示ボタン２４ｂが操作されたときに行われる処理と同様である。すなわち、ステップＳ１２１乃至Ｓ１３０の処理は、図１４のステップ７１乃至Ｓ８０の処理と、基本的に同様であるので、その詳細な説明は省略する。
【０１６８】
但し、右方向指示ボタン２４ｃが操作されたときの処理なので、ステップＳ１２８においては、カーソル１３２が位置するのは、左下位メニュー選択ローラ１４１上であるのか否かが判断され、ステップＳ１２９においては、左下位メニュー選択ローラ１４１を削除する処理が実行され、ステップＳ１２３においては、右下位メニュー選択ローラ１４２を表示させるためのデータが読み出される点が異なる。
【０１６９】
また、図示はしないが、図１５のフローチャートを参照して説明した処理と同様な処理が実行される（但し、判断処理などにおいて、左または右の判断などは、逆になる）ことにより、メニューに複数の階層が設けられていることを前提とし、右下位メニュー選択ローラ１４２の右側にさらに下位メニューが表示される場合にも対応できるような処理が実行されるようにしても良い。
【０１７０】
このように、本実施の形態においては、１つの項目に関し、異なるメニューが関連付けられている。そして、ユーザは、１つの項目を選択すると、その項目に関連付けられている異なるメニューのうちの、所望する方のメニューを選択することができるように構成されている。その異なるメニューを、例えば、一方をシンプルユーザ用のメニュー、他方をエンドユーザ用のメニューとすることにより、シンプルユーザ、エンドユーザ、そしてマルチユーザのいずれのユーザに対しても、満足がいくメニューを提供することが可能となる。
【０１７１】
また、そのメニューの提示の仕方は、操作部材（上記した実施の形態においては、方向指示部２４（図１））の操作方向と同一の方向に、何らかのアクション（例えば、ローラの回転）が実行されるようにしたので、ユーザは、直感的に操作を行うことができ、その直感的な操作で所望の項目を選択することができ、所望の設定を行うことが可能となる。また、直感的に操作を行えるようにしたため、ユーザは、方向指示部２４の操作のみを覚えれば、各種の設定を行うことができ、複雑な操作を覚える必要がなくなり、使い勝手が向上する。
【０１７２】
本発明を適用することにより、階層化されたメニューにおいて、選択項目毎に簡単な設定と複雑な設定とを切り替えること可能となり、ユーザにとってより自由度が高く、より快適な項目選択手段を提供することが可能となる。
【実施例２】
【０１７３】
実施例１においては、画像処理装置１の機能に関する設定を行う場合にＬＣＤ２６に表示されるメニューについて説明した。実施例２として、ユーザが光ディスク１０１に記録されている静止画像や動画像を閲覧するときに、ＬＣＤ２６上に表示される画面について説明する。ユーザは、光ディスク１０１に記録されている静止画像や動画像（以下、静止画像と動画像を特に区別する必要がない場合、単に画像と記述する）を閲覧する場合、実施例１で説明したように、電源スイッチ２３を操作し、画像処理装置１を画像選択モードに設定する。
【０１７４】
ここでは、電源スイッチ２３が操作され、画像選択モードにされたときに、画像が閲覧できる状態にされるとして説明するが、実施例１の続きとして、画像選択モードに移行するような仕組みを設けても良い。すなわち、例えば、上位メニュー選択ローラ１３１（例えば図４で図示している）の１項目として、“画像閲覧”といったような、画像を閲覧したいときに選択される項目を設ける。そして、この“画像閲覧”という項目が選択されたとき（カーソル１３２が、“画像閲覧”という項目上に位置している状態で、ユーザにより、ジョグダイヤル２４ａが押下されたとき）、画像選択モードに移行されるようにしても良い。
【０１７５】
［画像選択に係わる画面について］
画像選択モードにされると、ＬＣＤ２６には、図１８に示すような画像が表示される。ここでは、図１８に示す画像を画像選択モードのときの初期画面とする。画像選択モードの初期画面としての表示方法選択ローラ２０１も、基本的に、図４の上位メニュー選択ローラ１３１と同様の形状で表現される。すなわち、項目の数に対応して側面の数が決定される角柱で、表示方法選択ローラ２０１は表現される。
【０１７６】
図１８に示した表示方法選択ローラ２０１には、側面に“場所名降順”、“日付昇順”、“日付降順”といった項目が各側面に表示されている。この表示方法選択ローラ２０１は、光ディスク１０１（図３）に記録されている静止画像または動画像をＬＣＤ２６上に表示させる際、どのように表示させるかを選択するために、ユーザに提示されるローラである。この表示方法選択ローラ２０１も、上位メニュー選択ローラ１３１と同様に、ジョグダイヤル２４ａが操作されることにより、回転される。
【０１７７】
また、図１８に示した表示方法選択ローラ２０１の“日付昇順”という項目上には、カーソル２０２が位置している。このカーソル２０２は、カーソル１３２と同様に取り扱われる。
【０１７８】
図１８に示したように、カーソル２０２が表示方法選択ローラ２０１の“日付昇順”という項目上に位置している状態のときに、左方向指示ボタン２４ｂが操作されると、図１９に示したような画面に切り替えられる。
【０１７９】
図１９は、ＬＣＤ２６に表示される静止画像ファイル一覧画面の例を示す。図１９のファイル一覧画面において、光ディスク１０１（図３）に記録されている全ての静止画像データに基づく画像（サムネイル画像）は、画像２２１乃至２３０として、最上部から、反時計回りに、円環状移動軌跡２３１の所定の位置に配置され、円環状で表示される。
【０１８０】
なお、図１９の例においては、画像２２１乃至画像２３０に示される「１」、「２」、「３」などの数値は、それぞれ表示される画像の一部を表している。また、画像２２１乃至画像２３０に示される「ＤＣＦ０００１．ＪＰＧ」といった文字列は、画像２２１乃至画像２３０に重畳され、各画像のファイル名を表している。なお、画像２２４乃至２２８についても同様であるが、説明の便宜上省略されている。
【０１８１】
円環状移動軌跡２３１は、１０の画像を所定の位置に配置するように構成されており、円環状移動軌跡２３１に配置される画像の中で、左中央部の位置に配置される画像を一番大きく表示させ、次いで、その前後の位置に配置される画像を、左中央部に配置される画像よりも少し小さく表示させ、さらに、その前後の位置に配置される画像の、それぞれ前や後の位置に配置される画像を、左中央部の前後の位置に配置される画像よりもさらに小さく表示させるように形成されている。すなわち、円環状移動軌跡２３１は、左中央部の画像から、配置位置が離れるにつれて、配置される画像を徐々に小さく表示させることにより、表示される画像が遠近感を有するように形成されている。
【０１８２】
したがって、図１９の例の場合、円環状移動軌跡２３１において、左中央部の位置に配置される画像２２１が、一番大きく表示され、画像２２１の前後の位置に配置される画像２３０および２２２が、画像２２１よりも少し小さく表示され、画像２３０の前の位置に配置される画像２２９、および画像２２２の後の位置に配置される画像２２３が、画像２３０および２２２よりも少し小さく表示される。さらに、画像２２９の前の位置に配置される画像２２８、および画像２２３の後の位置に配置される画像２２４が、画像２２９および２２３よりも少し小さく表示され、画像２２８の前の位置に配置される画像２２７、および画像２２４の後の位置に配置される画像２２５が、画像２２８および２２４よりも少し小さく表示され、画像２２７の前であり、画像２２５の後の位置に配置される画像２２６が、画像２２７および２２５よりも少し小さく表示される。
【０１８３】
このため、円環状移動軌跡２３１は、真円ではなく、楕円をさらに変形したような歪な円環状の軌跡で構成されている。なおここでは、楕円をさらに変形したような歪な円環状の軌跡を例に挙げて説明を続けるが、軌跡は、楕円でも勿論良いし、真円でも良い。また、その他の、例えば、四角などの形でも勿論良い。このような閉じられた図形でも良いし、一部が開かれた図形（例えば、図３０を参照して後述するような略半円形）でも良い。ここでは、適宜、軌跡に用いられる図形を略円環状軌跡と称する。
【０１８４】
また、円環状移動軌跡２３１の左中央部に位置する画像（いまの場合、画像２２１）には、画像２２１を選択するためのカーソル２０２が表示される。
【０１８５】
以上のように、円環状移動軌跡２３１においては、カーソル２０２により選択される、左中央部の位置に配置される画像２２１が一番大きく表示され、左中央部から円環状移動軌跡２３１に沿った距離が最も離れている位置（右中央部）に配置される画像２２６が一番小さく表示される。
【０１８６】
そして、図１９に示されるように、画像２２１がカーソル２０２により選択された状態において、ユーザによりジョグダイヤル２４ａが筐体１１側に押下されると、画像２２１に対応する静止画像データに基づく静止画像の拡大表示が決定される。これにより、画像処理装置１においては、画像２２１に対応する静止画像がＬＣＤ２６の全画面に表示される。
【０１８７】
そして、選択決定された画像２２１が対応する拡大画像が表示されている状態で、方向指示部２４が操作された場合、ＬＣＤ２６の表示は、図１９に示されるファイル一覧画面に戻る。
【０１８８】
さらに、図１９に示したようなファイル一覧画面において、ユーザによりジョグダイヤル２４ａが上方向に回動されると、表示されている全ての画像２２１乃至２３０の位置は、円環状移動軌跡２３１上を、時計回りに移動されて表示される。すなわち、画像２３０は、画像２２９が配置されていた位置に移動されて表示され、画像２２１は、画像２３０が配置されていた位置に移動されて表示され、画像２２２は、画像２２１が配置されていた位置に移動されて表示され、他の画像も同様に、１つ前の画像が配置されていた位置に移動されて表示される。このとき、画像は、移動した位置の大きさに応じた大きさで表示される。
【０１８９】
したがって、移動後のファイル一覧画面においては、画像２２２がカーソル２０２により選択された状態で表示される。
【０１９０】
逆に、ユーザによりジョグダイヤル２４ａを下方向に回動された場合には、全ての画像２２１乃至２３０の位置は、円環状移動軌跡２３１上を、反時計回りに移動されて表示される。すなわち、画像２２９は、画像２３０が配置されていた位置に移動されて表示され、画像２３０は、画像２２１が配置されていた位置に移動されて表示され、画像２２１は、画像２２２が配置されていた位置に移動されて表示され、画像２２２は、画像２２３が配置されていた位置に移動されて表示され、他の画像も同様に、１つ前の画像が配置されていた位置に移動されて表示される。
【０１９１】
したがって、移動後のファイル一覧画面１０１においては、画像２３０がカーソル２０２により選択された状態で表示される。
【０１９２】
なお、図１９の例においては、ユーザによりジョグダイヤル２４ａの回動により、画像が上または下方向に１つ移動される例を説明したが、ジョグダイヤル２４ａの回動に応じて、一度に２つや３つなど移動するようにしてもよい。
【０１９３】
また、図１９の例においては、光ディスク１０１に、画像２２１乃至２３０に対応する１０の静止画像データが記録されている場合を説明したが、光ディスク１０１に１０以上の静止画像データが記録されている場合には、静止画像データ数に合わせて、表示される画像数が増えるのではなく（仮に、このようにした場合、表示される画像が多くなると、１枚あたりの表示領域が小さくなり、全ての画像が見えづらくなってしまう可能性があるため、このようにするのは好ましくないと考えられる）、表示される画像数（いまの場合、１０画像）は、固定されたまま、変化させずに、ジョグダイヤル２４ａにより上方向が指示された場合には、例えば、画像２３０が表示されていた位置には画像２２１を移動して表示させず、その代わりに、その位置に、画像２３０のデータの次に記録されている静止画像データの画像を表示させる、すなわち、ジョグダイヤル２４ａの回動に応じて、全ての画像を順に表示させるようにしてもよい。
【０１９４】
また、図１９の例においては、光ディスク１０１に、画像２２１乃至２３０に対応する１０の静止画像データが記録されている場合を説明したが、光ディスク１０１に１０未満の静止画像データしか記録されていない場合（例えば、６個の静止画像データが記録されている場合）には、例えば、図２０に示すように、円環状移動軌跡２３１において、画像２２７乃至２３０は表示されない。その表示されない画像に対応する部分には、それらの画像の画枠のみ表示させるようにしてもよい。
【０１９５】
図２０に示した画面は、６枚の画像２２１乃至２２６の静止画像の画像データが光ディスク１０１に記録されている場合であり、“日付昇順”という項目が表示方法として選択されているときにＬＣＤ２６に表示される画面である。表示方法として選択された項目が、表示方法選択ローラ２０１の“日付降順”という項目であるときには、図２１に示したような画面が、ＬＣＤ２６上に表示される。
【０１９６】
図２１に示した画面は、“降順”なため、図２０に示した画面とは逆の順序で、画像２２１乃至２２６が配置されている。すなわち、画像２２６、画像２２５、画像２２４、画像２２３、画像２２２、画像２２１の順で配置されている。
【０１９７】
再度図１８を参照する。図１８に示したような、表示方法選択ローラ２０１のみが表示され、“日付昇順”という項目上にカーソル２０２が位置している状態のとき、ユーザにより右方向指示ボタン２４ｃ（図１）が操作された場合、図２２に示したような画像にＬＣＤ２６上の画像が切り替えられる。
【０１９８】
表示方法選択ローラ２０１の右側に表示されるのは、動画像ファイル一覧画面である。この動画像ファイル一覧画面において、光ディスク１０１（図３）に記録されている全ての動画像データに基づく画像（サムネイル画像）は、画像２５１乃至２５６として、最上部から、反時計回りに、円環状移動軌跡２６１の所定の位置に配置され、円環状で表示される。また、その画像は、日付昇順に配置されている。
【０１９９】
また、表示方法選択ローラ２０１の“日付降順”という項目上にカーソル２０２が位置している状態のとき、ユーザにより右方向指示ボタン２４ｃ（図１）が操作された場合、図２３に示したような画像にＬＣＤ２６上の画像が切り替えられる。
【０２００】
表示方法選択ローラ２０１の右側に表示されるのは、動画像ファイル一覧画面である。この動画像ファイル一覧画面において、光ディスク１０１（図３）に記録されている全ての動画像データに基づく画像（サムネイル画像）は、画像２５１乃至２５６として、最上部から、反時計回りに、円環状移動軌跡２６１の所定の位置に配置され、円環状で表示される。また、その画像は、日付降順に配置されている。
【０２０１】
図２２または図２３に示した動画像ファイル一覧画面において、画像２５１乃至画像２５６に示される「１」、「２」、「３」等の数字は、それぞれ表示される画像の一部を表している。また、画像２５１乃至画像２５６に示される「00:00:00」は、画像２５１乃至画像２５６に重畳される、各画像の再生時刻を表しており、これにより画像２５１乃至２５６が、各動画像の先頭の画像であることを示すものである。
【０２０２】
図２２または図２３に示した動画像ファイル一覧画面における各画像の配置の仕方などについては、図１９乃至図２１を参照して説明した静止画像ファイル一覧画像と同様であるので、その説明は省略する。
【０２０３】
このように、本実施の形態においては、静止画像または動画像を表示させる方法を選択するための項目が、表示方法選択ローラ２０１としてユーザに提供される。この表示方法選択ローラ２０１は、ユーザが方向指示部２４を操作した方向と同様の方向（上方向または下方向）に回転するので、ユーザは、直感的に操作を行うことが可能となる。また、この表示方法選択ローラ２０１には、複数の項目を効率良く配置することが可能であり、ユーザが、所望とする表示方法を複数提供することが可能である。よって、複数の静止画像や動画像から、ユーザが所望する画像を、ユーザが所望する表示方法から容易に探し出すことが可能となり、使い勝手を向上させることが可能となる。
【０２０４】
また、表示方法選択ローラ２０１の項目を選択し、左方向指示ボタン２４ｂが操作されると、表示方法選択ローラ２０１の左側に、静止画像ファイル一覧画面が表示され、右方向指示ボタン２４ｃが操作されると、表示方法選択ローラ２０１の右側に、動画像ファイル一覧画面が表示されるようにしたので、ユーザは、モードなどの切り替え操作をすることなく、静止画像でも動画像でも、簡便な操作のみで、選択するための画面を表示させることが可能となる。よって、画像の選択に係わる使い勝手を向上させることが可能となる。
【０２０５】
なお、ここでは、表示方法選択ローラ２０１の左側に静止画像の一覧画面が表示され、右側に動画像の一覧画面が表示されるとしたが、右側に静止画像の一覧画面が表示され、左側に静止画像の一覧画面が表示されるようにしても、勿論良い。
【０２０６】
［画像選択に係わる処理について］
次に、上述したような画像選択に係わる表示が行われる際の画像処理装置１の処理について、説明する。まず、図２４のフローチャートを参照し、画像処理装置１の電源がオンにされたときの動作について説明する。
【０２０７】
例えば、ユーザは、光ディスク１０１に記録されている画像データを探すために、画像処理装置１に光ディスク１０１を装着し、画像処理装置１の電源スイッチ２３を、軸２３ａを中心に時計回りに、所定の回動角に回動する。
【０２０８】
電源スイッチ検出部６２は、ステップＳ２０１において、ユーザによる電源スイッチ２３の操作（すなわち、ユーザにより電源スイッチ２３が所定の回動角に回動されたこと）を検出するまで待機しており、電源スイッチ２３が、軸２３ａを中心に時計回りに所定の回動角に回動されたことを検出すると、画像処理装置１の電源投入信号と、画像処理装置１の電源モードを画像選択モードに設定する電源モード切り替え信号を、メイン動作制御部６５に供給し、ステップＳ２０２に進む。
【０２０９】
メイン動作制御部６５は、電源スイッチ検出部６２からの電源投入信号と、電源モード切り替え信号を入力すると、ステップＳ２０２において、電源投入信号に応じて、図示せぬ電源部などを制御し、画像処理装置１の本体の電源を投入（オン）させ、ステップＳ２０３に進む。
【０２１０】
メイン動作制御部６５は、ステップＳ２０３において、電源スイッチ検出部６２からの電源モード切り替え信号に応じて、画像処理装置１の電源モードを画像選択モードに設定し、設定された画像選択モードを、制御用メモリ７０に記憶させる。ステップＳ２０４において、図１８に示した画面（表示方法選択ローラ２０１）をＬＣＤ２６上に表示させるためのデータが読み出される。そしてその読み出されたデータを基に、ＬＣＤ２６上に、表示方法選択ローラ２０１が表示される。
【０２１１】
そのような表示の制御が行われる一方で、ステップＳ２０５において、操作モードが画像選択モードに設定され、そのことが、制御用メモリ７０に記憶される。そして、ステップＳ２０６において、カーソル２０２が、初期表示の位置に表示されるように表示が制御される。初期表示の位置とは、図１８において、例えば、“日付昇順”といった項目上である。
【０２１２】
ステップＳ２０７において、カーソル２０２の位置が、制御用メモリ７０に記憶される。
【０２１３】
このようにして、ＬＣＤ２６上に表示方法選択ローラ２０１が表示されることにより、ユーザが、所望の表示方法を選択できる状態にされる。次に、図２５乃至２９のフローチャートを参照し、表示方法選択ローラ２０１から表示方法が選択され、選択された表示方法に応じて、画像ファイル一覧が表示され、その一覧から、１枚の静止画像または動画像が選択されるまでの画像処理装置１の動作について説明する。
【０２１４】
まず、図２５のフローチャートを参照し、画像選択時における画像処理装置１の処理について説明する。ユーザは、ＬＣＤ２６に表示されている図１８に示したような表示方法を選択するための画面を見ながら、方向指示部２４を操作して、光ディスク１０１に記録されている画像データを検索しようとする。
【０２１５】
方向指示検出部６４は、ステップＳ２２１において、方向指示部２４が操作されるまで待機しており、例えば、ユーザが、方向指示部２４を構成する、ジョグダイヤル２４ａを回動させたり、左方向指示ボタン２４ｂ、または右方向指示ボタン２４ｃを押下したりした場合、方向指示部２４が操作されたと判断し、ステップＳ２２２に進み、上方向の操作を検出したか否かを判断し、上方向の操作を検出したと判断した場合、上方向の指示信号を、メイン動作制御部６５に供給し、ステップＳ２２３に進む。
【０２１６】
メイン動作制御部６５は、方向指示検出部６４からの上方向の指示信号を入力すると、ステップＳ２２３において、上方向の指示信号に応じて、画面データ生成部８４を制御し、全ての項目の位置が、時計回りに移動されるようなデータを生成する。その生成されたデータは表示制御部６６に供給される。また、ステップＳ２３６において、カーソル２０２の位置が更新され、その更新された新たなカーソル２０２の位置が、保存される。
【０２１７】
ステップＳ２３７において、表示制御部６６は、供給されたデータや、表示用メモリ６７に記録されているカーソル表示させるためのデータなどを用いて、項目が上方向に移動された新たな表示方法選択ローラ２０１を、ＬＣＤ２６上に表示させる。
【０２１８】
一方、ステップＳ２２２において、上方向の指示信号は入力していないと判断された場合、ステップＳ２２４において、下方向の指示信号を入力したか否かが判断され、下方向の指示信号を入力したと判断された場合、ステップＳ２２５に処理が進められる。ステップＳ２２５において、全ての項目の位置が、反時計回りに移動されるようなデータが生成される。そして、ステップＳ２３６に処理が進められ、それ以降の処理が、上述した場合と同様に実行される。
【０２１９】
一方、ステップＳ２２４において、下方向の指示信号は入力していないと判断された場合、ステップＳ２２６において、左方向の指示信号を入力したか否かが判断され、左方向の指示信号を入力したと判断された場合、ステップＳ２２７に処理が進められる。ステップＳ２２７において、光ディスク１０１に静止画像ファイル（データ）が記録されているか否かが判断される。
【０２２０】
ステップＳ２２７において、光ディスク１０１に静止画像ファイルは記録されていないと判断された場合、例えば、図２０に示したような静止画像ファイル一覧画面を表示させるためのデータがないと判断されたことになるので、静止画像ファイル一覧画面のデータを生成するなどの処理は実行されず、ステップＳ２３６に処理が進められる。ステップＳ２３６においては、上述したように、カーソル２０２の位置の更新、その位置の保存が行われるわけだが、この場合、カーソル２０２の位置は、移動しないので、この処理を省略することも可能である。また、ステップＳ２３７における画像データの更新、表示、保存といった処理も省略しても良い。
【０２２１】
ステップＳ２２７において、光ディスク１０１に静止画像ファイルが記録されていると判断された場合、ステップＳ２２８に処理が進められる。このステップＳ２２８の処理については、図２６のフローチャートを参照して後述するが、このステップＳ２２８の処理が実行されることにより、ＬＣＤ２６の画面は、例えば図２０に示したような画面に切り替えられる。
【０２２２】
ステップＳ２２９において、操作モードが静止画像ファイル選択モードに変更され、その変更が、制御用メモリ７０に保存される。そして、ステップＳ２３０において、静止画像ファイル選択モードにおける処理が実行される。このステップＳ２３０における静止画像ファイル選択モードの処理については、図２７のフローチャートを参照して後述する。ステップＳ２３０の処理が実行されると、ステップＳ２３６に処理が進められる。ステップＳ２３６以降の処理は、既に説明したので省略する。
【０２２３】
一方、ステップＳ２２６において、左方向の指示信号は入力していないと判断された場合、ステップＳ２３１に処理が進められ、右方向の指示信号を入力したか否かが判断され、右方向の指示信号を入力したと判断された場合、ステップＳ２３２に処理が進められる。ステップＳ２３２において、光ディスク１０１に動画像ファイル（データ）が記録されているか否かが判断される。
【０２２４】
ステップＳ２３２において、光ディスク１０１に動画像ファイルは記録されていないと判断された場合、例えば、図２２に示したような動画像ファイル一覧画面を表示させるためのデータがないと判断されたことになるので、動画像ファイル一覧画面のデータを生成するなどの処理は実行されず、ステップＳ２３６に処理が進められる。ステップＳ２３６においては、上述したように、カーソル２０２の位置の更新、その位置の保存が行われるわけだが、この場合、カーソル２０２の位置は、移動しないので、この処理を省略することも可能である。また、ステップＳ２３７における画像データの更新、表示、保存といった処理も省略しても良い。
【０２２５】
ステップＳ２３２において、光ディスク１０１に動画像ファイルが記録されていると判断された場合、ステップＳ２３３に処理が進められる。このステップＳ２３３の処理については、図２８のフローチャートを参照して後述するが、このステップＳ２３３の処理が実行されることにより、ＬＣＤ２６の画面は、例えば図２２に示したような画面に切り替えられる。
【０２２６】
ステップＳ２３４において、操作モードが動画像ファイル選択モードに変更され、その変更が、制御用メモリ７０に保存される。そして、ステップＳ２３５において、動画像ファイル選択モードにおける処理が実行される。このステップＳ２３５における動画像ファイル選択モードの処理については、図２９のフローチャートを参照して後述する。ステップＳ２３５の処理が実行されると、ステップＳ２３６に処理が進められる。
【０２２７】
ステップＳ２３６への処理には、ステップＳ２３１において、右方向の指示信号は入力していないと判断された場合も来る。この場合、入力された指示信号は、上下左右方向のいずれの方向をも示さない信号であると判断されたときであり、このようなときは、ジョグダイヤル２４ａが押下され、決定を指示する信号が入力されたときである。表示方法選択ローラ２０１上の所定の項目上で決定を指示する操作が行われた場合、その項目上に、カーソル２０２を位置させている状態が維持される。よって、処理は、ステップＳ２３６に進められる。ステップＳ２３６以降の処理は、既に説明したので省略する。
【０２２８】
このように、本実施の形態おいては、方向指示部２４が上下方向に操作されたときには、表示方法選択ローラ２０１が、上下方向に回転され、方向指示部２４が左右方向に操作されたときには、静止画像または動画像のファイル一覧が表示される。
【０２２９】
次に、図２６のフローチャートを参照し、ステップＳ２２８における静止画像ファイル一覧画面のデータ生成処理について説明する。メイン動作制御部６５は、ステップＳ２４１において、信号処理部８１を制御し、光ディスク１０１に記録されている静止画像データを、ドライブ６８を介して読み出させ、読み出した静止画像データを復号させ、その復号された静止画像を、制御用メモリ７０に貼り付けさせ、ステップＳ２４２に進む。
【０２３０】
メイン動作制御部６５は、ステップＳ２４２において、光ディスク１０１に記録されている全ての静止画像データに対して処理が終了したか否かを判断し、全ての静止画像データに対して処理が終了していないと判断した場合、ステップＳ２４１に戻り、それ以降の処理を繰り返す。
【０２３１】
ステップＳ２４２において、全ての映像データに対して処理が終了したと判断された場合、メイン動作制御部６５は、ステップＳ２４３に進み、画面データ生成部８４を制御し、制御用メモリ７０に貼り付けられた静止画像のデータに、表示用メモリ６７に記録されているカーソル表示させるためのデータなどを重畳して、静止画像ファイル一覧画面データを生成し、生成した静止画像ファイル一覧画面データを、表示制御部６６に供給する。このような処理が実行されることにより、ＬＣＤ２６上に、例えば図２０に示したような静止画像ファイル一覧画面が、表示方法選択ローラ２０１の左側に表示される。
【０２３２】
例えば、図２０に示すような静止画像ファイル一覧画面が表示されると、ユーザは、その一覧から、拡大表示させたい画像を選択することができる。ユーザは、拡大表示させたい画像を選択するために、方向指示部２４を操作する。その操作に応じて、画像処理装置１は、図２７に示したフローチャートの処理を実行する。図２７のフローチャートの処理は、図２５のステップＳ２３０で行われる静止画像ファイル選択モードの処理である。
【０２３３】
ステップＳ２５１において、方向指示部２４が操作されたか否かが判断され、操作されたと判断されると、ステップ２５２に処理が進められる。ステップＳ２５２において、操作されたのは、ジョグダイヤル２４ａであり、その操作方向は、上方向であるか否かが判断される。ステップＳ２５２において、操作された方向は、上方向であると判断された場合、ステップＳ２５３に処理が進められる。
【０２３４】
ステップＳ２５３において、その時点で、カーソル２０２が位置する画像（静止画像のサムネイル画像）は、最後のファイルであるか否かが判断される。例えば、昇順に画像を表示させるときには、一覧表示される画像は、昇順でソートされるわけだが、ソートされたときに、最後のファイルとされている画像上に、カーソル２０２が位置しているか否かがステップＳ２５３において判断される。
【０２３５】
静止画像ファイル一覧画面として、図２０に示したような画面が表示されているときは、各画像は、撮影された日時を基準とした日付順で、かつ昇順に配置されている。このような状態でジョグダイヤル２４ａが上方向に操作されたということは、円環状移動軌跡２３１上に配置されている画像を上方向に回転させることが指示されたことを意味している。円環状移動軌跡２３１上に配置されている画像が上方向に回転されるということは、図２０を参照するに、例えば画像２２１が表示されている位置に、画像２２２が表示されるということになる。
【０２３６】
仮に画像２２１の位置に、画像２２６（最後のファイルに相当する画像）が表示されている状態のときに、円環状移動軌跡２３１上に配置されている画像を上方向に回転させようとすると、画像２２６の次の画像は、存在していないので、画像２２６の位置に表示させる画像がないことになる。よって、ステップＳ２５３において、カーソル２０２が位置する画像は、最後のファイルの画像であるか否かが判断され、最後のファイルの画像であると判断された場合、次に表示させる画像がないため、処理は、ステップＳ２５１に戻され、それ以降の処理が繰り返される。
【０２３７】
一方、ステップＳ２５３において、カーソル２０２が位置する画像は、最後のファイルの画像ではないと判断された場合、ステップＳ２５４に処理が進められ、全てのファイルを円環状軌跡２３１上で上方向に移動させるための処理が行われる。
【０２３８】
メイン動作制御部６５は、方向指示検出部６４からの上方向の指示信号を入力すると、上方向の指示信号に応じて、画面データ生成部８４を制御し、全ての画像２２１乃至２２６（図２０）の位置を、円環状移動軌跡２３１上で、時計回り（上方向）に移動させるように、かつ、その位置の大きさに応じた大きさで表示されるように、制御用メモリ７０に貼り付けられた静止画像のデータに、表示用メモリ６７に記録されているカーソル表示させるためのデータなどを重畳して、ファイル一覧画面データを更新（生成）し、更新したファイル一覧画面データを、表示制御部６６に供給する。
【０２３９】
メイン動作制御部６５は、表示制御部６６を制御し、画面データ生成部８４からのファイル一覧画面データを、ＬＣＤ２６に表示させる。このようにして、ユーザの操作、この場合、ジョグダイヤル２４ａの上方向への操作に応じて、静止画像ファイル一覧の各画像が円環状軌跡２３１上で上方向に移動される。すなわち、ユーザ側から見れば、自己が行った上方向の操作に対応して画像が、上方向に回転したように見える処理が実行されたことになる。
【０２４０】
このような処理が行われると、ステップＳ２２１（図２５）に処理が戻され、それ以降の処理（新たな指示に対する処理）が繰り返される。
【０２４１】
一方、ステップＳ２５２において、上方向の指示信号は入力していないと判断された場合、ステップＳ２５６に処理が進められる。ステップＳ２５６において、下方向の指示信号を入力したか否かが判断され、下信号の指示信号を入力したと判断された場合、ステップＳ２５７に処理が進められる。ステップＳ２５７において、カーソル２０２が位置する画像は、一枚目のファイルの画像であるか否かが判断される。
【０２４２】
この場合、ジョグダイヤル２４ａが下方向に操作されたことにより行われる処理であるので、円環状移動軌跡２３１上の画像を、反時計回り（下方向）に移動させるような処理が実行される。そのため、ステップＳ２５３の所で説明した場合と逆の状況であり、仮に、カーソル２０２が位置する画像が一枚目の画像であると、次にカーソル２０２が位置するところに表示させる画像がないことになる。そこで、ステップＳ２５７において、カーソル２０２が位置する画像は、一枚目の画像であるか否かが判断され、一枚目のファイルの画像であると判断された場合、次に表示させる画像がないため、処理は、ステップＳ２５１に戻され、それ以降の処理が繰り返される。
【０２４３】
一方、ステップＳ２５６において、カーソル２０２が位置する画像は、一枚目のファイルの画像ではないと判断された場合、ステップＳ２５４に処理が進められ、全てのファイルを円環状軌跡２３１上で下方向に移動させるための処理が行われる。
【０２４４】
メイン動作制御部６５は、方向指示検出部６４からの下方向の指示信号を入力すると、下方向の指示信号に応じて、画面データ生成部８４を制御し、全ての画像２２１乃至２２６（図２０）の位置を、円環状移動軌跡２３１上で、反時計回り（下方向）に移動させるように、かつ、その位置の大きさに応じた大きさで表示されるように、制御用メモリ７０に貼り付けられた静止画像のデータに、表示用メモリ６７に記録されているカーソル表示させるためのデータなどを重畳して、ファイル一覧画面データを更新（生成）し、更新したファイル一覧画面データを、表示制御部６６に供給する。
【０２４５】
メイン動作制御部６５は、表示制御部６６を制御し、画面データ生成部８４からのファイル一覧画面データを、ＬＣＤ２６に表示させる。このようにして、ユーザの操作、この場合、ジョグダイヤル２４ａの下方向への操作に応じて、静止画像ファイル一覧の各画像が円環状軌跡２３１上で下方向に移動される。すなわち、ユーザ側から見れば、自己が行った下方向の操作に対応して画像が、下方向に回転したように見える処理が実行されたことになる。
【０２４６】
このような処理が行われると、ステップＳ２２１（図２５）に処理が戻され、それ以降の処理（新たな指示に対する処理）が繰り返される。
【０２４７】
一方、ステップＳ２５６において、下方向の指示信号は入力していないと判断された場合、ステップＳ２５９に処理が進められる。ステップＳ２５９において、左方向の指示信号を入力したか否かが判断され、左信号の指示信号を入力したと判断された場合、図２７に示したフローチャートの処理は終了され、ステップＳ２２１（図２５）に処理が戻され、それ以降の処理（新たな指示に対する処理）が繰り返される。
【０２４８】
これは、静止画像ファイル一覧画面が、表示方法選択メニュー２０１の左側に表示されているときに、左方向指示ボタン２４ｂが操作されたときであるので、さらに、左に表示させる画像などはないため、処理はステップＳ２２１に戻される。
【０２４９】
一方、ステップＳ２５９において、左方向の指示信号は入力していないと判断された場合、ステップＳ２６０に処理が進められる。ステップＳ２６０において、右方向の指示信号を入力したか否かが判断され、右信号の指示信号を入力したと判断された場合、ステップＳ２６１に処理が進められる。
【０２５０】
ステップＳ２６１に処理が進められるのは、静止画像ファイル一覧画面が、表示方法選択メニュー２０１の左側に表示されているときに、右方向指示ボタン２４ｃが操作されたときであり、ユーザは、静止画像ファイル一覧画面に対する処理を終了させ、表示方法選択メニュー２０１に対する処理を実行したいと所望したときであると判断することができる。よって、例えば、図２０に示したような画面から、図１８に示したような画面に、ＬＣＤ２６の画面が切り替えられるような処理が実行される。
【０２５１】
ステップＳ２６１において、静止画像ファイル選択モードが表示方法選択モードに戻され、制御用メモリ７０に、そのことが保存される。そして、表示方法選択メニュー２０１のみを表示させるためのデータが読み出され、そのデータに基づいて表示が制御される。また、カーソル２０２の位置も、静止画像ファイル一覧画面から、表示方法選択メニュー２０１上に移動され、その移動に関するデータも保存される。
【０２５２】
このような処理が行われると、ステップＳ２２１（図２５）に処理が戻され、それ以降の処理（新たな指示に対する処理）が繰り返される。
【０２５３】
一方、ステップＳ２６０において、右方向の指示信号は入力していないと判断された場合、ステップＳ２６２に処理が進められる。ステップＳ２６２に処理が進められるのは、入力された信号は、決定を示す指示信号であると判断されたときである。よって、その時点で、カーソル２０２が位置する画像を、ＬＣＤ２６上に拡大表示（全画面表示）するための処理が実行される。
【０２５４】
カーソル２０２が位置していた画像が、画像２２１（図２０）であったような場合、信号処理部８１は、画像２２１に対応する静止画像データを、ドライブ６８を介して読み出し、復号し、制御用メモリ７０に展開する。メイン動作制御部６５は、表示制御部６６を制御し、制御用メモリ７０に展開された静止画像データを読み出させ、ＬＣＤ２６に表示させる
【０２５５】
このような処理が実行されることにより、ユーザにより選択された静止画像が、ＬＣＤ２６の全画面に表示される。このような処理が行われると、ステップＳ２２１（図２５）に処理が戻され、それ以降の処理（新たな指示に対する処理）が繰り返される。
【０２５６】
このように、本実施の形態においては、光ディスク１０１に記憶されている静止画像のうち、拡大表示させたい画像を選択させる際、円環状移動軌跡２３１上に、ユーザが指定した並び方で画像が配置されるようにし、ユーザの操作に対応して円環状移動軌跡２３１上で回転されるようにしたので、ユーザは、簡単（直感的）な操作で所望の画像を選択することが可能となる。
【０２５７】
次に、図２８に示したフローチャートを参照し、図２５のステップＳ２３３において行われる動画像ファイル一覧画面データの生成処理について説明する。メイン動作制御部６５は、ステップＳ２８１において、信号処理部８１を制御し、光ディスク１０１に記録されている動画像データを、ドライブ６８を介して読み出させ、読み出した動画像データを復号させ、動画用メモリ６９に展開させ、ステップＳ２８２に進む。
【０２５８】
メイン動作制御部６５は、ステップＳ２８２において、画像切り出し制御部８３を制御し、動画用メモリ６９に展開された動画像データの先頭画像を、静止画像として切り出させ、切り出した静止画像を、制御用メモリ７０に貼り付けさせ、ステップＳ２８３に進む。
【０２５９】
メイン動作制御部６５は、ステップＳ２８３において、光ディスク１０１に記録されている全ての動画像データに対して処理が終了したか否かを判断し、全ての動画像データに対する処理は終了していないと判断した場合、ステップＳ２８１に戻り、それ以降の処理を繰り返す。
【０２６０】
ステップＳ２８３において、全ての動画像データに対して処理が終了したと判断された場合、メイン動作制御部６５は、ステップＳ２８４に進み、画面データ生成部８４を制御し、制御用メモリ７０に貼り付けられた静止画像のデータに、表示用メモリ６７に記録されているカーソル表示させるためのデータなどを重畳して、ファイル一覧画面データを生成し、生成したファイル一覧画面データを、表示制御部６６に供給する。
【０２６１】
メイン動作制御部６５は、表示制御部６６を制御し、画面データ生成部８４からのファイル一覧画面データを、ＬＣＤ２６に表示させる。これにより、ＬＣＤ２６には、例えば図２２に示されるような動画像ファイル一覧画面が表示される。
【０２６２】
例えば、図２２に示すような動画像ファイル一覧画面が表示されると、ユーザは、その一覧から、拡大表示（再生）させたい動画像を選択することができる。ユーザは、再生させたい動画像を選択するために、方向指示部２４を操作する。その操作に応じて、画像処理装置１は、図２９に示したフローチャートの処理を実行する。図２９のフローチャートの処理は、図２５のステップＳ２３５で行われる動画像ファイル選択モードの処理である。
【０２６３】
図２９に示したフローチャートの処理は、動画像ファイル選択モードのときの処理であるが、その処理は、基本的に、図２７に示したフローチャートの静止画像ファイル選択モードのときの処理と同様であるので、その詳細な説明は省略し、異なる部分だけ説明を加える。
【０２６４】
動画像ファイル一覧画面は、表示方法選択ローラ２０１の右側に表示されるとした。そのため、ステップＳ３０９において、左方向の指示信号を入力したと判断された場合、ステップＳ３１１に処理が進められ、動画像ファイル一覧画面が消去され、表示方法選択ローラ２０１だけの画面に戻るための処理が行われる。すなわち、例えば、図２２に示したような画面から、図１８に示した画面に、ＬＣＤ２６上の画面が切り替えられるような処理が実行される。
【０２６５】
また、ステップＳ３１０において、右方向の指示信号を入力したと判断された場合、動画像ファイル一覧画面のさらに右側に表示させる画像などはないので、新たなデータを読み出し表示させるといったような処理が実行されることなく、図２９に示したフローチャートの処理は終了される。
【０２６６】
また、ステップＳ３１０において、右方向の指示信号は入力されていないと判断された場合、すなわちこの場合、決定を示す指示信号が入力されたと判断された場合、ステップＳ３１２に処理が進められ、その時点で、カーソル２０２が位置する画像に対応する動画像が、ＬＣＤ２６の画枠一杯に表示されるような再生が開始される。
【０２６７】
このような処理が行われることにより、ユーザは、再生させたい動画像の選択も、静止画像の選択と同様に簡便に行うことが可能となる。
【０２６８】
なお、上述した実施の形態においては、円環状軌跡上に、動画像を代表するサムネイル画像、または、静止画像が配置されるとして説明したが、円環状軌跡ではなく、その他の形状の軌跡でも良い。また、その軌跡は、円のように、閉じられた図形ではなく、例えば、図３０に示すように、半円状の軌跡でも良い。図３０に示した軌跡は静止画像が略半円状軌跡状に配置されている。
【０２６９】
例えば、図３０に示したような状態のときに、ジョグダイヤル２４ａが操作上方向に操作された場合、画像２２１の位置に画像２２２が移動されて表示され、画像２２２の位置に画像２２３が移動された表示されといったような表示は、上記した場合と同様である。画像２２６の位置には、画像２２６の次の画像として設定されている画像２２７が表示される。すなわち、表示しきれていない画像（仮に全ての画像を表示させようとしたときに、順番的に後方であるために、遠方に配置される画像）は、表示画面の裏に隠れて表示されないイメージを、ユーザに想起させるような表示を行っても良い。
【０２７０】
図３０に示したように、画像が配置される軌跡は、閉じられた形状の図形でなくても良い。しかしながら、ジョグダイヤル２４ａの操作方向と、画像の移動方向が一致するようなイメージをユーザに想起させるようにするには、画像が配置される軌跡は、略円環状（真円でなくても良いが、円に近く（楕円など）、その円自体は閉じていても、一部が切れていても良い）である方が好ましい形態であると考えられる。
【０２７１】
このように、本発明を適用することで、複数の表示方法から、所望の表示方法を、容易に選択することが可能となる。また複数の表示方法が用意されている（選択肢を多くする）ことにより、ユーザが探し出したい画像を検索するのに、最も適している表示方法を選択することが可能となる。
【０２７２】
また、ユーザは、一覧表示された画像から、所望の画像を選択する際、直感的な操作（例えば、ジョグダイヤル２４ａを上方向に操作すれば、ファイル一覧も上方向に回転される）で選択することが可能となる。よって、ユーザは、複雑な操作を覚えなくても、画像を選択することができる。
【０２７３】
また、ユーザは、静止画像を選択するときと、動画像を選択するときとで、モードを切り替えるといったような操作をしなくても良く、同じような操作で選択のための操作をすることができるので、快適に選択処理を実行することが可能となり、使い勝手を向上させることができる。
【０２７４】
なお、上述した実施の形態においては、画像処理装置１を例に挙げて説明したが、本発明は、画像処理装置１などの画像を扱う装置のみに適用範囲が限定されるものではない。例えば、パーソナルコンピュータのように、複数のアプリケーションをメニュー形式で表示させる場合などにおいても、本発明を適用することは可能である。
【０２７５】
［記録媒体について］
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２７６】
図３１は、汎用のパーソナルコンピュータ４０１の内部構成例を示す図である。パーソナルコンピュータ４０１のＣＰＵ（Central Processing Unit）４１１は、ＲＯＭ（Read Only Memory）４１２に記憶されているプログラムに従って各種の処理を実行する。ＲＡＭ（Random Access Memory）４１３には、ＣＰＵ４１１が各種の処理を実行する上において必要なデータやプログラムなどが適宜記憶される。入出力インタフェース４１５は、キーボードやマウスから構成される入力部４１６が接続され、入力部４１６に入力された信号をＣＰＵ４１１に出力する。また、入出力インタフェース４１５には、ディスプレイやスピーカなどから構成される出力部４１７も接続されている。
【０２７７】
さらに、入出力インタフェース４１５には、ハードディスクなどから構成される記憶部４１８、および、インターネットなどのネットワークを介して他の装置とデータの授受を行う通信部４１９も接続されている。ドライブ４２０は、磁気ディスク４２１、光ディスク４２２、光磁気ディスク４２３、半導体メモリ４２４などの記録媒体からデータを読み出したり、データを書き込んだりするときに用いられる。
【０２７８】
記録媒体は、図３１に示すように、パーソナルコンピュータ４０１とは別に、ユーザにプログラムを提供するために配布される、プログラムが記録されている磁気ディスク４２１（フレキシブルディスクを含む）、光ディスク４２２（CD-ROM（Compact Disc-Read Only Memory），DVD（Digital Versatile Disc）を含む）、光磁気ディスク４２３（MD（Mini-Disc）（登録商標）を含む）、若しくは半導体メモリ４２４などよりなるパッケージメディアにより構成されるだけでなく、コンピュータに予め組み込まれた状態でユーザに提供される、プログラムが記憶されているＲＯＭ４１２や記憶部４１８が含まれるハードディスクなどで構成される。
【０２７９】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０２８０】
また、本明細書において、システムとは、複数の装置により構成される装置全体を表すものである。
【図面の簡単な説明】
【０２８１】
【図１】本発明を適用した画像処理装置の一実施の形態の構成を示す図である。
【図２】方向指示部の構成を説明する図である。
【図３】画像処理装置の内部構成例を示す図である。
【図４】ＬＣＤに表示される画像例である。
【図５】ＬＣＤに表示される画像例である。
【図６】ＬＣＤに表示される画像例である。
【図７】ＬＣＤに表示される画像例である。
【図８】ＬＣＤに表示される画像例である。
【図９】ＬＣＤに表示される画像例である。
【図１０】画像処理装置の動作を説明するフローチャートである。
【図１１】表示制御に係わる動作を説明するフローチャートである。
【図１２】項目の選択に係わる動作を説明するフローチャートである。
【図１３】ジョグダイヤルの操作に係わる動作を説明するフローチャートである。
【図１４】左方向指示ボタンの操作に係わる動作を説明するフローチャートである。
【図１５】左方向指示ボタンの操作に係わる動作を説明するフローチャートである。
【図１６】右方向指示ボタンの操作に係わる動作を説明するフローチャートである。
【図１７】階層について説明するための図である。
【図１８】ＬＣＤに表示される画像例である。
【図１９】ＬＣＤに表示される画像例である。
【図２０】ＬＣＤに表示される画像例である。
【図２１】ＬＣＤに表示される画像例である。
【図２２】ＬＣＤに表示される画像例である。
【図２３】ＬＣＤに表示される画像例である。
【図２４】表示制御に係わる動作を説明するフローチャートである。
【図２５】画像選択時の処理について説明するフローチャートである。
【図２６】静止画像ファイル一覧画面の生成について説明するフローチャートである。
【図２７】静止画像ファイル選択モード処理について説明するフローチャートである。
【図２８】動画像ファイル一覧画面の生成について説明するフローチャートである。
【図２９】動画像ファイル選択モード処理について説明するフローチャートである。
【図３０】ＬＣＤに表示される画像例である。
【図３１】媒体を説明する図である。
【符号の説明】
【０２８２】
１  画像処理装置，  ２３  電源スイッチ，  ２４  方向指示部，  ２４ａ  ジョグダイヤル，  ２４ｂ  左方向指示ボタン，  ２４ｃ  右方向指示ボタン，  ２６  ＬＣＤ，  ６４  方向指示検出部，  ６５  メイン動作制御部，  ６６表示制御部，  ６８  ドライブ，  ６９  動画用メモリ，  ７０  制御用メモリ，  ７１  表示用メモリ，  ７２  通信部，  ８１  信号処理部，  ８２  選択処理部，  ８３  画像切り出し制御部，  ８４  画面データ生成部，  １０１  光ディスク
【図１】
2006079281.tif 000003
【図２】
2006079281.tif 000004
【図３】
2006079281.tif 000005
【図４】
2006079281.tif 000006
【図５】
2006079281.tif 000007
【図６】
2006079281.tif 000008
【図７】
2006079281.tif 000009
【図８】
2006079281.tif 000010
【図９】
2006079281.tif 000011
【図１０】
2006079281.tif 000012
【図１１】
2006079281.tif 000013
【図１２】
2006079281.tif 000014
【図１３】
2006079281.tif 000015
【図１４】
2006079281.tif 000016
【図１５】
2006079281.tif 000017
【図１６】
2006079281.tif 000018
【図１７】
2006079281.tif 000019
【図１８】
2006079281.tif 000020
【図１９】
2006079281.tif 000021
【図２０】
2006079281.tif 000022
【図２１】
2006079281.tif 000023
【図２２】
2006079281.tif 000024
【図２３】
2006079281.tif 000025
【図２４】
2006079281.tif 000026
【図２５】
2006079281.tif 000027
【図２６】
2006079281.tif 000028
【図２７】
2006079281.tif 000029
【図２８】
2006079281.tif 000030
【図２９】
2006079281.tif 000031
【図３０】
2006079281.tif 000032
【図３１】
2006079281.tif 000033